(57)【特許請求の範囲】
【請求項１】
デジタル放送を受信する受信装置と、上記受信装置によって受信したデジタル放送を表示する表示装置と、上記受信装置によって受信したデジタル放送に含まれる画像を印刷する印刷装置とを備えるデジタル放送受信システムにおいて、
上記受信装置と、上記表示装置及び印刷装置とは、デジタル信号を伝送する第１の信号伝送手段によって接続されてなり、
上記受信装置は、
デジタル放送を受信する受信手段と、
上記受信手段によって受信したデジタル放送の信号に基づいて所定の描画処理を行うことにより画像データを生成する描画手段と、
上記描画手段により生成された画像データを上記印刷装置の受信手段が画像データを受信し終えるまでの間に、上記画像データを一時保持する画像用記憶手段と、
上記描画手段により生成された画像データを上記画像用記憶手段より読み出して上記第１の信号伝送手段を介して伝送する出力手段とを備え、
上記印刷装置は、
上記第１の信号伝送手段を介して伝送された画像データを受信する受信手段と、
上記受信手段によって受信した画像データを処理して、印刷用画像データを生成する変換処理手段と、
上記変換処理手段が生成する印刷用画像データを一時保持する印刷画像用記憶手段と、
上記変換処理手段によって生成された印刷用画像データを上記印刷画像用記憶手段から読み出して印刷する印刷手段とを備え、
上記受信装置と印刷装置とは、上記第１の信号伝送手段よりも伝送速度が遅い第２の信号伝送手段によって接続されてなり、
上記受信装置及び印刷装置は、上記第２の信号伝送手段を介して、上記画像データよりも情報量が少ないコードデータの送受信を行う送受信手段をそれぞれ備え、
更に、上記受信装置は、
所定の選択情報を含むコードデータを生成するコードデータ生成手段を備え、
上記印刷装置は、
上記送受信手段によって受信したコードデータに含まれる選択情報に応じてデジタル放送を受信する受信手段と、
上記受信手段により受信したデジタル放送の信号に基づいて所定の処理を施すことにより、サービス情報及び／又は文字情報を生成する情報生成手段と、
上記情報生成手段により生成したサービス情報及び／又は文字情報と、上記画像データとを合成して合成済み画像を生成する合成手段とを備え、
上記印刷手段において、上記合成手段により生成された合成済み画像を印刷するデジタル放送受信システム。
【請求項２】
デジタル放送を受信する受信部と、
上記受信部に対して、デジタル信号を伝送する第１の信号伝送手段によって接続されてなり、当該受信部によって受信したデジタル放送に含まれる画像を印刷する印刷部とを備え、
上記受信部は、
デジタル放送を受信する受信手段と、
上記受信手段により受信したデジタル放送の信号に基づいて所定の描画処理を行うことにより画像データを生成する描画手段と、
上記描画手段により生成された画像データを上記印刷装置の受信手段が画像データを受信し終えるまでの間に、上記画像データを一時保持する画像用記憶手段と、
上記描画手段により生成された画像データを、上記画像用記憶手段より読み出して上記第１の信号伝送手段を介して上記印刷部、及び外部に接続された表示装置に伝送する出力手段とを備え、
上記印刷部は、
上記第１の信号伝送手段を介して伝送された画像データを受信する受信手段と、
上記受信手段によって受信した画像データを処理して、印刷用画像データを生成する変換処理手段と、
上記変換処理手段が生成する印刷用画像データを一時保持する印刷画像用記憶手段と、
上記変換処理手段によって生成された印刷用画像データを上記印刷画像用記憶手段から読み出して印刷する印刷手段とを備え、
上記受信部と印刷部とは、上記第１の信号伝送手段よりも伝送速度が遅い第２の信号伝送手段によって接続されてなり、
上記受信部及び印刷部は、上記第２の信号伝送手段を介して、上記画像データよりも情報量が少ないコードデータの送受信を行う送受信手段をそれぞれ備え、
更に、上記受信部は、所定の選択情報を含むコードデータを生成するコードデータ生成手段を備え、
上記印刷部は、
上記送受信手段によって受信したコードデータに含まれる選択情報に応じてデジタル放送を受信する受信手段と、
上記受信手段により受信したデジタル放送の信号に基づいて所定の処理を施すことにより、サービス情報及び／又は文字情報を生成する情報生成手段と、
上記情報生成手段により生成したサービス情報及び／又は文字情報と、上記画像データとを合成して合成済み画像を生成する合成手段とを備え、
上記印刷手段において、上記合成手段により生成された合成済み画像を印刷するデジタル放送受信装置。
【請求項３】
受信装置がデジタル放送を受信して生成した画像データを印刷する印刷装置において、
上記受信装置は、デジタル放送を受信する受信手段と、
上記受信手段によって受信したデジタル放送の信号に基づいて所定の描画処理を行うことにより画像データを生成する描画手段と、
上記描画手段により生成された画像データを上記印刷装置の受信手段が画像データを受信し終えるまでの間に、上記画像データを一時保持する画像用記憶手段と、
上記描画手段により生成された画像データを上記画像用記憶手段より読み出して上記第１の信号伝送手段を介して伝送する出力手段とを備えており、
上記受信装置の出力手段から、デジタル放送を表示する表示装置、及び当該印刷装置に対して、デジタル信号を伝送する第１の信号伝送手段により伝送された画像データを受信する受信手段と、
上記受信手段によって受信した画像データを処理して、印刷用画像データを生成する変換処理手段と、
上記変換処理手段が生成する印刷用画像データを一時保持する印刷画像用記憶手段と、
上記変換処理手段によって生成された印刷用画像データを上記印刷画像用記憶手段から読み出して印刷する印刷手段と、
上記受信装置に対して、上記第１の信号伝送手段よりも伝送速度が遅い第２の信号伝送手段によって接続されてなり、上記第２の信号伝送手段を介して、上記画像データよりも情報量が少ないコードデータの送受信を行う送受信手段とを備え、
上記送受信手段は、上記受信装置が生成した、所定の選択情報を含むコードデータを受信するとともに、
更に、上記送受信手段によって受信したコードデータに含まれる選択情報に応じてデジタル放送を受信する受信手段と、
上記受信手段により受信したデジタル放送の信号に基づいて所定の処理を施すことにより、サービス情報及び／又は文字情報を生成する情報生成手段と、
上記情報生成手段により生成したサービス情報及び／又は文字情報と、上記画像データとを合成して合成済み画像を生成する合成手段とを備え、
上記印刷手段において、上記合成手段により生成された合成済み画像を印刷する印刷装置。
【請求項４】
デジタル放送を受信装置によって受信し、上記受信装置によって受信したデジタル放送に含まれる画像を印刷装置によって印刷する際に、
上記受信装置と、上記受信装置によって受信したデジタル放送を表示する表示装置、及び上記印刷装置とを、デジタル信号を伝送する第１の信号伝送手段によって接続するとともに、
上記受信装置において、
デジタル放送を受信し、
受信したデジタル放送の信号に基づいて、所定の描画処理を行うことにより画像データを生成し、
生成された画像データを印刷装置が画像データを受信し終えるまでの間に、上記画像データを画像用記憶手段に一時保持し、
生成した画像データを、上記第１の信号伝送手段を介して伝送し、
上記印刷装置において、
上記第１の信号伝送手段を介して伝送された画像データを受信し、
受信した画像データを処理して、印刷用画像データを生成し、
生成する印刷用画像データを印刷画像用記憶手段に一時保持し、
生成された印刷用画像データを上記印刷画像用記憶手段から読み出して印刷し、
上記受信装置と印刷装置とを、上記第１の信号伝送手段よりも伝送速度が遅い第２の信号伝送手段によって接続し、
上記受信装置及び印刷装置において、上記第２の信号伝送手段を介して、上記画像データよりも情報量が少ないコードデータの送受信を行い、
上記受信装置において、所定の選択情報を含むコードデータを生成するとともに、
上記印刷装置において、
受信したコードデータに含まれる選択情報に応じてデジタル放送を受信し、
受信したデジタル放送の信号に基づいて所定の処理を施すことにより所定の処理を施すことにより、サービス情報及び／又は文字情報を生成し、
生成したサービス情報及び／又は文字情報と、上記画像データとを合成して合成済み画像を生成し、
生成した合成済み画像を印刷する印刷方法。
【発明の詳細な説明】
【０００１】
【発明の属する技術分野】
本発明は、デジタル放送を受信する受信装置と、受信装置によって受信したデジタル放送を表示する表示装置と、受信装置によって受信したデジタル放送に含まれる画像を印刷する印刷装置とを備えるデジタル放送受信システムに関する。また、本発明は、デジタル放送を受信する受信部と、受信したデジタル放送に含まれる画像を印刷する印刷部を備えるデジタル放送受信装置に関する。さらに、本発明は、デジタル放送を受信する受信装置、及びデジタル放送に含まれる画像を印刷する印刷装置に関する。さらにまた、本発明は、デジタル放送を受信装置によって受信し、このデジタル放送に含まれる画像を印刷装置によって印刷する印刷方法に関する。
【０００２】
【従来の技術】
従来より、ＣＲＴ（Cathode Ray Tube）ディスプレイ等の表示装置に表示されたテレビジョン放送等の表示画像をプリントアウトするためには、アナログビデオプリンタが用いられている。
【０００３】
アナログビデオプリンタは、例えば、図２３に示すように、表示装置５００から出力されるアナログ映像信号が入力される。すなわち、図２３に示す例では、表示装置５００に対して、テレビジョン信号や映像信号等が入力されており、表示装置５００は、これらの信号から生成した画像を表示する。そして、アナログビデオプリンタ５０１には、表示装置５００が表示する画像に相当するアナログ映像信号が入力される。
【０００４】
アナログビデオプリンタ５０１は、入力されたアナログ映像信号に基づいてデジタル化処理を施し、フレームメモリ５０２に画像データとして随時記録及び更新する。そして、外部からの印刷指示が入力されると、フレームメモリ５０２に記録する画像データの更新を中止し、このフレームメモリ５０２に記録された画像データを読み出して、プリントエンジン５０３により印刷処理を行う。
【０００５】
また、アナログビデオプリンタ５０１には、印刷する画像データを確認するために、例えば液晶ディスプレイ等を用いた印刷確認用表示部５０４が設けられている。そして、フレームメモリ５０２に記録及び更新されている画像データに対してアナログ化処理を施すことにより、アナログ映像信号として印刷確認用表示部５０４に出力する。印刷確認用表示部５０４は、入力されたアナログ映像信号から生成した画像を表示する。
【０００６】
このようなアナログビデオプリンタ５０１は、通常、連続する動画データに含まれる特定の画像を印刷する用途に用いられている。そのため、外部から入力される印刷指示としては、動画データの中から印刷する画像を確定する指示と、確定した画像について印刷処理を開始させる指示との２段階の指示とされている。また、アナログビデオプリンタ５０１は、印刷確認用表示部５０４を備えない構成とされる場合があるが、この場合には印刷する画像を予め確認することができない。
【０００７】
上述したような従来のアナログビデオプリンタ５０１では、入力されるアナログ映像信号として、例えば、ＮＴＳＣ（National Television System Committee）信号、ＰＡＬ（Phase Alternation by Line）信号、ＲＧＢ映像信号、Ｓ端子映像信号等のような、従来から一般的に利用されている信号が用いられている。
【０００８】
また、パーソナルコンピュータ（以下、ＰＣという。）等の情報処理装置の表示画像をプリントアウトするためには、アナログマルチスキャンプリンタやＰＣプリンタが用いられている。
【０００９】
アナログマルチスキャンプリンタ５１０は、例えば、図２４に示すように、ＰＣ本体５１１から表示装置５１２に対して出力されるアナログＣＲＴインタフェース信号が入力される。アナログマルチスキャンプリンタ５１０は、入力されたアナログＣＲＴインタフェース信号を分岐して、一方を表示装置５１２に出力しながら、他方に対してデジタル化処理を施し、フレームメモリ５１３に画像データとして随時記録及び更新する。そして、外部からの印刷指示が入力されると、フレームメモリ５１３に記録する画像データの更新を中止し、このフレームメモリ５１３に記録された画像データを読み出して、プリントエンジン５１４により印刷処理を行う。
【００１０】
なお、アナログマルチスキャンプリンタ５１０には、上述したアナログビデオプリンタ５０１と同様に、印刷画像確認用の表示部を備える構成とされる場合もある。また、アナログＣＲＴインタフェース信号としては、例えば、ＲＧＢ映像信号、及びその同期信号が用いられ、信号モードとしては、以下の範囲内の信号が一般に用いられている。
【００１１】
水平解像度：６４０〜１６００ドット
垂直解像度：４８０〜１２００ライン
水平偏向周波数：３０〜１０７ｋＨｚ
垂直偏向周波数：４８〜１６０Ｈｚ
アナログマルチスキャンプリンタ５１０は、このような各種信号モードに対してマルチスキャン機能を有しており、印刷する画像に適したサイズの画像データを取得して、印刷することが可能とされている。
【００１２】
ＰＣプリンタ５２０は、例えば、図２５に示すように、ＰＣ本体５２１から表示装置５２２に対して出力される映像信号とは別に、このＰＣ本体５２１から汎用プリンタインタフェースを介して印刷データが入力される。
【００１３】
ＰＣプリンタ５２０では、ＰＣ本体５２１で動作するアプリケーションプログラムが文字データや画像データを生成し、このアプリケーションプログラムが生成した文字データや画像データがＯＳ（Operation System）に渡されて、表示装置５２２に表示している。ＯＳは、印刷指示が入力されると、ＰＣ本体５２１内でプリンタドライバを起動する。プリンタドライバは、文字データや画像データを、ＰＣ本体５２１に接続されているＰＣプリンタ５２０に適した形式の印刷データに変換して、この印刷データをＰＣプリンタ５２０に送出する。ＰＣプリンタ５２０は、送出された印刷データを解釈して、プリンタエンジン５２３により印刷処理を行う。
【００１４】
このようなＰＣプリンタ５２０では、汎用プリンタインタフェースとして、例えば、Bi-Centronics（IEEE-1284）、ＲＳ−２３２Ｃ、ＳＣＳＩ、Ｉｒ−ＤＡ、ＵＳＢ等が用いられている。
【００１５】
【発明が解決しようとする課題】
ところで、従来、例えばテレビジョン放送を受信して表示する際には、受信装置によってアナログテレビジョン信号を受信し、このアナログテレビジョン信号をアナログ電子回路にて処理して、表示装置で表示していた。しかしながら、このようなテレビジョン放送は、従来のようにアナログ信号ではなく、デジタル信号によって放送されるようになることが予想されている。
【００１６】
具体的には、例えば、日本国において、平成８年１０月からＣＳデジタル放送が開始され、さらに、ＣＡＴＶ、ＢＳ放送、地上波放送でも順次デジタル放送が開始されようとしている。このように、テレビジョン放送がデジタル化されると、従来よりも高品質な映像の提供がなされるようになる。また、デジタル化によって、映像信号の他に、ＳＩ（Service Information）信号と呼ばれる各種情報を含む信号が提供され、このＳＩ信号によって、ＥＰＧ（Electronic Program Guide）、すなわち、表示装置に表示可能な番組ガイド情報を利用することが可能となる。
【００１７】
このように、テレビジョン放送のデジタル化により、表示装置には、従来のような番組映像だけでなく、各種のコンテンツ情報を組み合わせて表示することが可能となる。したがって、テレビジョン放送の表示装置は、例えば文字情報も高精細に表示可能であることが求められるようになる。また、受信装置は、受信したデジタル信号を、デジタルデータのまま各種の処理を行い、表示装置に対してもデジタルデータのまま送出することが求められるようになる。
【００１８】
一方、近年では、パーソナルコンピュータやセットトップボックス（以下、ＳＴＢという。）を初めとする各種応用機器のビデオポートに接続される表示装置におけるデジタルデータインタフェース規格が各種団体で検討されるようになってきている。このようなデジタルデータインタフェース規格の一例として、社団法人日本電子工業振興協会（ＪＥＩＤＡ）では、平成１１年１月に、デジタルモニタインタフェース標準（Digital Interface Standards for Monitor）のVersion1.0を制定している。
【００１９】
このような現在の実状のなかで、テレビジョン放送等の画像や各種コンテンツ情報を印刷するに際して、上述した従来のアナログビデオプリンタ５０１、アナログマルチスキャンプリンタ５１０、及びＰＣプリンタ５２０を用いる場合には、印刷品質や印刷速度、及び印刷装置のコストなどの面で、問題が多い。
【００２０】
具体的には、例えば、上述したアナログビデオプリンタ５０１を用いる場合には、ＮＴＳＣ信号等のような従来から用いられているアナログ映像信号を利用することとなってしまう。この場合に、アナログ映像信号によって送出可能な画素数としては６００ドット×４５０ドット程度が限界である。また、人間の視覚特性で動画像では細部まで認識しにくい色情報に関して、高精度に送出するには限界があり、静止画像としてプリントアウトするために十分な信号情報を得ることが困難である。さらに、このようなアナログ映像信号は、伝送可能な信号線の長さも制限されており、印刷装置を、表示装置から離れた位置に設置することが困難である。
【００２１】
例えば、上述したアナログマルチスキャンプリンタ５１０を用いる場合には、信号モードによっては１６００ドット×１２００ドット程度までの画像情報を得ることができる。しかしながら、この場合においても、アナログＣＲＴインタフェース信号の特性上、アナログビデオプリンタ５０１と同様に、伝送可能な信号線の長さが制限されてしまう。また、アナログマルチスキャンプリンタ５１０に、Ａ／Ｄ変換を行う回路やＤ／Ａ変換を行う回路などが必要となるだけでなく、信号劣化対策及びノイズ対策が重要となり、装置構成が複雑となって低コスト化を図ることが困難となってしまう。
【００２２】
また、上述したＰＣプリンタ５２０を用いる場合には、汎用プリンタインタフェースが比較的高速であることから、印刷画像の解像度や印刷品質に制限のない画像データを転送することが可能である。しかしながら、この場合には、ＰＣプリンタ５２０のプリンタエンジン５２３で印刷処理を行うために必要な画像処理の大部分を、ＰＣ本体５２１で行うことが必要となってしまう。そのため、ＰＣ本体５２１が印刷画像の解像度や印刷品質に応じて、ＲＡＭやハードディスク装置等のような記憶手段の容量を十分に備えることが必要となる。また、印刷画像の解像度や印刷品質に応じた画像データを処理するために、高速演算が可能なＣＰＵ、及びその動作環境をＰＣ本体５２１が備えることが必要となる。
【００２３】
さらに、例えば、テレビジョン放送を受信して表示するテレビ受像機と印刷装置とを接続するに際して、上述したＰＣプリンタ５２０と同様な汎用プリンタインタフェースを利用して画像データを送出するとした場合には、このテレビ受像機側に、高速演算能力、大容量記憶手段、及び高速な汎用プリンタインタフェースの出力ポートを備える必要がある。このため、テレビ受像機が高コスト化してしまうといった問題が生じる。しかも、このようなテレビ受像機に印刷装置を接続しない場合には、これらの高速演算能力、大容量記憶手段、及び高速な汎用プリンタインタフェース等が不要なものとなってしまう。
【００２４】
そこで、本発明は、上述したような問題を解決して、デジタル放送に含まれる画像を印刷する際に、画像データを高速に転送することが可能であるとともに、無駄となってしまう回路や機能を備える必要がなく、低コストで実現することが可能なデジタル放送受信システム、デジタル放送受信装置、受信装置、印刷装置、並びに印刷方法を提供することを目的とする。
【００２５】
【課題を解決するための手段】
本発明に係るデジタル放送受信システムは、デジタル放送を受信する受信装置と、上記受信装置によって受信したデジタル放送を表示する表示装置と、上記受信装置によって受信したデジタル放送に含まれる画像を印刷する印刷装置とを備えるデジタル放送受信システムにおいて、上記受信装置と、上記表示装置及び印刷装置とは、デジタル信号を伝送する第１の信号伝送手段によって接続されている。上記受信装置は、デジタル放送を受信する受信手段と、上記受信手段によって受信したデジタル放送の信号に基づいて所定の描画処理を行うことにより画像データを生成する描画手段と、上記描画手段により生成された画像データを上記印刷装置の受信手段が画像データを受信し終えるまでの間に、上記画像データを一時保持する画像用記憶手段と、上記描画手段により生成された画像データを上記画像用記憶手段より読み出して上記第１の信号伝送手段を介して伝送する出力手段とを備えている。上記印刷装置は、上記第１の信号伝送手段を介して伝送された画像データを受信する受信手段と、上記受信手段によって受信した画像データを処理して、印刷用画像データを生成する変換処理手段と、上記変換処理手段が生成する印刷用画像データを一時保持する印刷画像用記憶手段と、上記変換処理手段によって生成された印刷用画像データを上記印刷画像用記憶手段から読み出して印刷する印刷手段とを備えている。上記受信装置と印刷装置とは、上記第１の信号伝送手段よりも伝送速度が遅い第２の信号伝送手段によって接続されてなり、上記受信装置及び印刷装置は、上記第２の信号伝送手段を介して、上記画像データよりも情報量が少ないコードデータの送受信を行う送受信手段をそれぞれ備えている。更に、上記受信装置は、所定の選択情報を含むコードデータを生成するコードデータ生成手段を備え、上記印刷装置は、上記送受信手段によって受信したコードデータに含まれる選択情報に応じてデジタル放送を受信する受信手段と、上記受信手段により受信したデジタル放送の信号に基づいて所定の処理を施すことにより、サービス情報及び／又は文字情報を生成する情報生成手段と、上記情報生成手段により生成したサービス情報及び／又は文字情報と、上記画像データとを合成して合成済み画像を生成する合成手段とを備え、上記印刷手段において、上記合成手段により生成された合成済み画像を印刷する。
【００２６】
以上のように構成された本発明に係るデジタル放送受信システムは、印刷装置が受信装置から画像データを受信するに際して、受信装置から表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段によって伝送していることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、変換処理手段が生成する印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【００２７】
また、本発明に係るデジタル放送受信装置は、デジタル放送を受信する受信部と、上記受信部に対して、デジタル信号を伝送する第１の信号伝送手段によって接続されてなり、当該受信部によって受信したデジタル放送に含まれる画像を印刷する印刷部とを備えている。上記受信部は、デジタル放送を受信する受信手段と、上記受信手段により受信したデジタル放送の信号に基づいて所定の描画処理を行うことにより画像データを生成する描画手段と、上記描画手段により生成された画像データを上記印刷装置の受信手段が画像データを受信し終えるまでの間に、上記画像データを一時保持する画像用記憶手段と、上記描画手段により生成された画像データを、上記画像用記憶手段より読み出して上記第１の信号伝送手段を介して上記印刷部、及び外部に接続された表示装置に伝送する出力手段とを備えている。上記印刷部は、上記第１の信号伝送手段を介して伝送された画像データを受信する受信手段と、上記受信手段によって受信した画像データを処理して、印刷用画像データを生成する変換処理手段と、上記変換処理手段が生成する印刷用画像データを一時保持する印刷画像用記憶手段と、上記変換処理手段によって生成された印刷用画像データを上記印刷画像用記憶手段から読み出して印刷する印刷手段とを備えている。上記受信部と印刷部とは、上記第１の信号伝送手段よりも伝送速度が遅い第２の信号伝送手段によって接続されてなり、上記受信部及び印刷部は、上記第２の信号伝送手段を介して、上記画像データよりも情報量が少ないコードデータの送受信を行う送受信手段をそれぞれ備えている。更に、上記受信部は、所定の選択情報を含むコードデータを生成するコードデータ生成手段を備え、上記印刷部は、上記送受信手段によって受信したコードデータに含まれる選択情報に応じてデジタル放送を受信する受信手段と、上記受信手段により受信したデジタル放送の信号に基づいて所定の処理を施すことにより、サービス情報及び／又は文字情報を生成する情報生成手段と、上記情報生成手段により生成したサービス情報及び／又は文字情報と、上記画像データとを合成して合成済み画像を生成する合成手段とを備え、上記印刷手段において、上記合成手段により生成された合成済み画像を印刷する。
【００２８】
以上のように構成された本発明に係るデジタル放送受信装置は、印刷部が受信部から画像データを受信するに際して、受信部から外部に接続される表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段によって伝送していることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、変換処理手段が生成する印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信部とは別に、印刷部側にもデジタル放送の受信機能を備えて構成されている。これにより、印刷部は、表示装置で表示する画像データとは異なる所定の番組放送からサービス情報及び／又は文字情報を取得することが可能となる。したがって、印刷部は、表示装置で表示する画像データをプリントするだけでなく、番組放送及び／又は情報アドレスに独自にアクセスすることが可能となり、より柔軟なプリント動作を行うことが可能となる。
【００３１】
本発明に係る印刷装置は、受信装置がデジタル放送を受信して生成した画像データを印刷する印刷装置において、上記受信装置は、デジタル放送を受信する受信手段と、上記受信手段によって受信したデジタル放送の信号に基づいて所定の描画処理を行うことにより画像データを生成する描画手段と、上記描画手段により生成された画像データを上記印刷装置の受信手段が画像データを受信し終えるまでの間に、上記画像データを一時保持する画像用記憶手段と、上記描画手段により生成された画像データを上記画像用記憶手段より読み出して上記第１の信号伝送手段を介して伝送する出力手段とを備えている。更に、上記受信装置の出力手段から、デジタル放送を表示する表示装置、及び当該印刷装置に対して、デジタル信号を伝送する第１の信号伝送手段により伝送された画像データを受信する受信手段と、上記受信手段によって受信した画像データを処理して、印刷用画像データを生成する変換処理手段と、上記変換処理手段が生成する印刷用画像データを一時保持する印刷画像用記憶手段と、上記変換処理手段によって生成された印刷用画像データを上記印刷画像用記憶手段から読み出して印刷する印刷手段と、上記受信装置に対して、上記第１の信号伝送手段よりも伝送速度が遅い第２の信号伝送手段によって接続されてなり、上記第２の信号伝送手段を介して、上記画像データよりも情報量が少ないコードデータの送受信を行う送受信手段とを備えている。上記送受信手段は、上記受信装置が生成した、所定の選択情報を含むコードデータを受信する。更に、印刷装置は、上記送受信手段によって受信したコードデータに含まれる選択情報に応じてデジタル放送を受信する受信手段と、上記受信手段により受信したデジタル放送の信号に基づいて所定の処理を施すことにより、サービス情報及び／又は文字情報を生成する情報生成手段と、上記情報生成手段により生成したサービス情報及び／又は文字情報と、上記画像データとを合成して合成済み画像を生成する合成手段とを備え、上記印刷手段において、上記合成手段により生成された合成済み画像を印刷する。
【００３２】
以上のように構成された本発明に係る印刷装置は、受信装置から表示装置に画像データを伝送する第１の信号伝送手段を介して、当該印刷装置にも画像データを伝送されることができる。そのため、印刷する画像データを高速に伝送されることができる。また、デジタル放送に含まれる画像データを伝送するに際して、デジタル信号を伝送する第１の信号伝送手段を用いることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【００３３】
本発明に係る印刷方法は、デジタル放送を受信装置によって受信し、上記受信装置によって受信したデジタル放送に含まれる画像を印刷装置によって印刷する際に、上記受信装置と、上記受信装置によって受信したデジタル放送を表示する表示装置、及び上記印刷装置とを、デジタル信号を伝送する第１の信号伝送手段によって接続するとともに、上記受信装置において、デジタル放送を受信し、受信したデジタル放送の信号に基づいて、所定の描画処理を行うことにより画像データを生成し、生成された画像データを印刷装置が画像データを受信し終えるまでの間に、上記画像データを画像用記憶手段に一時保持し、生成した画像データを、上記第１の信号伝送手段を介して伝送し、上記印刷装置において、上記第１の信号伝送手段を介して伝送された画像データを受信し、受信した画像データを処理して、印刷用画像データを生成し、生成する印刷用画像データを印刷画像用記憶手段に一時保持し、生成された印刷用画像データを上記印刷画像用記憶手段から読み出して印刷し、上記受信装置と印刷装置とを、上記第１の信号伝送手段よりも伝送速度が遅い第２の信号伝送手段によって接続し、上記受信装置及び印刷装置において、上記第２の信号伝送手段を介して、上記画像データよりも情報量が少ないコードデータの送受信を行い、上記受信装置において、所定の選択情報を含むコードデータを生成するとともに、上記印刷装置において、受信したコードデータに含まれる選択情報に応じてデジタル放送を受信し、受信したデジタル放送の信号に基づいて所定の処理を施すことにより所定の処理を施すことにより、サービス情報及び／又は文字情報を生成し、生成したサービス情報及び／又は文字情報と、上記画像データとを合成して合成済み画像を生成し、生成した合成済み画像を印刷する。
【００３４】
以上のような本発明に係る印刷方法は、印刷装置が受信装置から画像データを受信するに際して、受信装置から表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段によって伝送していることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【００３５】
【発明の実施の形態】
以下、本発明の実施の形態について、図面を参照しながら詳細に説明する。以下では、まず、本発明について、デジタル放送を受信する受信部と、デジタル放送を表示する表示部と、デジタル放送に含まれる画像を印刷する印刷部との組み合わせの構成を様々に変えた場合について説明する。
【００３６】
なお、以下の説明において、デジタル放送とは、放送局からデジタル信号によって送出される放送のことを示す。また、デジタル放送は、デジタル信号の送出形態に限定されるものではなく、例えば、従来から広く利用されている地上波放送、ＢＳ放送・ＣＳ放送のように人工衛星を介して信号を送出する衛星放送、ケーブルテレビのように信号線を介して信号を送出する有線放送などのように、様々な形態により送出されたものであってもよい。
【００３７】
本発明は、図１に示すように、デジタルテレビ受像機１０に適用することができる。デジタルテレビ受像機１０は、デジタル放送を受信する受信部１１と、デジタル放送を表示する表示部１２と、デジタル放送に含まれる画像を印刷する印刷部１３とを一体に構成した場合の例である。
【００３８】
また、本発明は、図２に示すように、デジタルテレビ受像機２０と、このデジタルテレビ受像機２０に接続されて用いられる印刷装置２１とに対して適用することができる。デジタルテレビ受像機２０は、デジタル放送を受信する受信部２２と、デジタル放送を表示する表示部２３とを備えて一体に構成されている。すなわち、図２に示す例は、図１に示すデジタルテレビ受像機１０のうち、印刷部１３を外部に設けて構成した場合の例である。
【００３９】
また、本発明は、図３に示すように、セットトップボックス（以下、ＳＴＢ：Set Top Box と称する。）３０と、このＳＴＢ３０に接続されて用いられる表示装置３１及び印刷装置３２とに対して適用することができる。ＳＴＢ３０は、デジタル放送を受信する機能を備えている。すなわち、図３に示す例は、図１に示すデジタルテレビ受像機１０のうち、受信部１１、表示部１２、及び印刷部１３を一体とせずに、それぞれ別々に構成した場合の例である。
【００４０】
また、本発明は、図４に示すように、セットトップボックス（以下、ＳＴＢ：Set Top Box と称する。）４０と、このＳＴＢ４０に接続されて用いられる表示装置４１とに対して適用することができる。ＳＴＢ４０は、デジタル放送を受信する受信部４２と、デジタル放送に含まれる画像を印刷する印刷部４３とを備えている。すなわち、図４に示す例は、図３に示すＳＴＢ３０と印刷装置３２とを一体として構成した場合の例である。
【００４１】
上述したように、本発明は、デジタル放送を受信する受信部と、デジタル放送を表示する表示部と、デジタル放送に含まれる画像を印刷する印刷部とを様々に組み合わせた構成に対して適用することができる。そして、本発明では、受信部で受信したデジタル放送に含まれる画像データを印刷部に伝送するに際して、このデジタル放送に含まれる画像データを受信部から表示装置に対してデジタル信号によって伝送する第１の信号伝送手段を利用している。
【００４２】
すなわち、本発明では、印刷部が受信部から画像データを取得するために、受信部から表示部に画像データを伝送するための、比較的高速で、且つデジタル信号を伝送する第１の信号伝送手段を用いていることが特徴的である。これにより、本発明は、印刷部で印刷する画像データを受信部から高速に転送することができる。また、デジタル放送に含まれる画像データを、デジタル信号を伝送する第１の信号伝送手段によって伝送していることから、受信部と印刷部とに対して、画像データを送受信するために、例えばＤ／Ａ変換回路やＡ／Ｄ変換回路等の回路を設ける必要がない。また、デジタル信号を伝送する第１の信号伝送手段によって画像データを伝送することから、信号劣化やノイズの混入を防止することができ、低コストで高品質な印刷を行うことが可能となる。
【００４３】
このような第１の信号伝送手段としては、例えば、導線や光ファイバ等の信号線を相互に接続する、いわゆる有線型の信号伝送手段であってもよいし、電波や赤外線等によって信号を伝送する、いわゆる無線型の信号伝送手段であってもよい。
【００４４】
本発明は、上述したように、受信部、表示部、及び印刷部を様々に組み合わせた構成に対して適用することができるため、以下の説明においては、図３に示すように、これら各部をそれぞれ別々な構成として、ＳＴＢ３０、表示装置３１、及び印刷装置３２とした場合における第１の実施例に基づいて詳細に説明することとする。
【００４５】
第１の実施例
ＳＴＢ３０は、例えば、図５に示すように、ダウンコンバータ５０と、チューナ５１と、デジタル復調部５２と、誤り訂正部５３と、デスクランブル部５４と、パケット分離部５５と、映像デコーダ５６と、音声デコーダ５７と、データデコーダ５８と、合成器５９と、ビデオＲＡＭ６０と、デジタルビデオ信号出力部６１と、モニタ制御信号出力部６２とを備える。また、ＳＴＢ３０は、Ｉ／Ｏ制御部６３と、モデム６４と、ＣＰＵシステム６５と、プリンタ制御信号インタフェース６６とを備える。なお、図５においては、ＳＴＢ３０を構成する各部の間で送受信される各種信号の流れを矢印で示している。
【００４６】
ＳＴＢ３０は、地上波放送、衛星放送、有線放送などのように、様々な形態のデジタル放送を受信する構成とすることができるが、以下の説明においては、実用化が果たされているＣＳデジタル放送を受信する受信装置、いわゆるＩＲＤ（Integrated Receiver Decoder）として構成する場合について例示する。ＣＳデジタル放送では、放送局や各種サービスプロバイダ及びコンテンツプロバイダなどの送信局によって、動画情報、静止画情報、及びＳＩ情報（Service Information 情報）がデジタル信号として混在される。なお、ＳＩ信号とは、各種のサービス情報を記載したテーブルを所定の伝送フォーマットにした信号である。そして、送信局では、このデジタル信号を、地上波放送、衛星放送、又は有線放送として送出する。このデジタル信号は、必要に応じてスクランブル処理が施されて、送信局と所定の契約を交わしていない受信者が、デジタル放送を正しく再生することができないようにしてもよい。
【００４７】
ダウンコンバータ５０は、例えば、１２ＧＨｚ帯に割り当てられた電波を受信するアンテナに接続され、受信した電波を９５０ＭＨｚ〜２ＧＨｚ程度の中間周波数に変換する。なお、ＳＴＢ３０において、ダウンコンバータ５０は、上述したようなアンテナに接続されることに限定されるものではなく、デジタル放送が送出されてくる形態に応じて、例えば地上波放送を受信するアンテナや、衛星放送を受信するアンテナ、或いは、有線放送が送出されてくる信号線に接続されていればよい。
【００４８】
チューナ５１は、ダウンコンバータ５０によって中間周波数に変換されたデジタル放送の信号に対して選局処理を行う。すなわち、デジタル放送の信号のうち、所定のチャンネルに相当する成分の信号を選択する。このチューナ５１は、後述するように、例えば、使用者からのリモートコントローラによる指示に応じて、所定のチャンネルを選択することが可能とされている。
【００４９】
デジタル復調器５２は、チューナ５１によって選局処理されたデジタル放送の信号に対して、ＱＰＳＫ（Quadrature Phase Shift Keying）復調を行う。このデジタル復調器５２は、例えば、帯域幅を２７ＭＨｚとし、出力ビットストリームを４２．１９２Ｍｂｉｔ／ｓの伝送レートとされる。
【００５０】
誤り訂正部５３は、デジタル復調器５２によってＱＰＳＫ復調が行われたデジタル放送の信号に対して、ビタビ復号、同期検出、リードソロモン復号（２０４，１８８）、デインタリーブ等を行い、例えば２９．１６２Ｍｂｉｔ／ｓのトランスポートストリーム（ＴＳ：Transport Stream）を抽出する。誤り訂正部５３においては、例えば、ビタビ復号を行う際の畳み込みレートを１／２〜７／８程度とする。
【００５１】
デスクランブル部５４は、誤り訂正部５３によって抽出されたトランスポートストリーム中に存在する特定のＰＩＤ（Packet ID）を有するパケットについて、スクランブルの解除処理を行う。このようなスクランブルのアルゴリズムとしては、例えば、ブロック暗号に分類されるＭＵＬＴＩ２等を利用することができる。また、ＳＴＢ３０においては、このようにスクランブルの解除処理が行われた後の信号を、出力端子から高速にデータ出力を行うことによって、外部に取り出せるようにしてもよい。
【００５２】
パケット分離部５５は、デスクランブル部５４によってスクランブルの解除処理が行われた後の信号の中から、所望とする番組のパケットだけを取り出す処理を行う。デスクランブル部５４から得られる信号は、例えばＭＰＥＧ２規格等によって、映像情報や音声情報が多重化されて送出されている信号である。パケット分離部５５では、このように多重化されて送出された信号の中から、所望とする番組のパケットだけを取り出す。また、同時に、ＳＩ情報の取得、及びクロックの再生等を行う。パケット分離部５５は、取り出したパケットを、映像デコーダ５６、音声デコーダ５７、及びデータデコーダ５８に対して出力する。
【００５３】
ところで、ＳＴＢ３０においては、上述したダウンコンバータ５０、チューナ５１、デジタル復調器５２、誤り訂正部５３、デスクランブル部５４、及びパケット分離部５５が、デジタル放送を受信する受信手段として構成されている。なお、本発明において、ＳＴＢ３０の受信手段は、係る構成に限定されるものではなく、デジタル放送を受信する機能を有していればよいことは云うまでもない。
【００５４】
映像デコーダ５６及び音声デコーダ５７は、パケット分離部５５から入力されたパケットに基づいて、例えばＭＰＥＧ２規格により符号化された映像データ及び音声データをそれぞれ復号する。映像デコーダ５６は、復号した映像データを合成器５９に対して出力する。また、音声デコーダ５７は、復号した音声データを、音声信号として外部に出力する。
【００５５】
データデコーダ５８は、パケット分離部５５で取得されたＳＩ情報、すなわち番組ガイド（ＥＰＧ：Electronic Program Guide）情報や番組詳細情報等の各種データ情報の復号を行う。そして、復号後の信号のうち、表示可能なデータに直接展開できるＳＩ情報を合成器５９に出力するとともに、表示可能なデータに直接展開できないＳＩ情報を、ＳＩ制御信号として、システムバスを介してＣＰＵシステム６５に出力する。このようにＣＰＵシステム６５に出力されたＳＩ制御信号は、このＣＰＵシステム６５で処理された後に、ＳＩ表示信号として、合成器５９に出力される。このとき、ＣＰＵシステム６５では、ＳＩ制御信号に基づいて、例えば、フォントＲＯＭに備えるフォントデータを利用した変換処理を行うことにより、表示可能なＳＩ表示信号に変換する。
【００５６】
合成器５９は、映像デコーダ５６により復号された映像データ、データデコーダ５８により復号されたＳＩ情報、及びＣＰＵシステム６５から入力されるＳＩ表示信号を合成して、表示装置３１における１画面分の表示データを作成する。
【００５７】
ところで、本発明においては、上述した映像デコーダ５６、音声デコーダ５７、データデコーダ５８、合成器５９、及びビデオＲＡＭ６０が、ＳＴＢ３０の描画手段として構成されている。なお、本発明において、ＳＴＢ３０の描画手段は、係る構成に限定されるものではなく、上述した受信手段によって受信したデジタル放送の信号に基づいて所定の描画処理を行うことにより画像データを生成する機能を有していればよいことは云うまでもない。
【００５８】
デジタルビデオ信号出力部６１は、合成器５９によって作成された表示データを、デジタル信号として外部に出力する。
【００５９】
モニタ制御信号出力部６２は、システムバスを介して、ＣＰＵシステム６５から出力されたモニタ制御信号を、デジタル信号として外部に出力する。
【００６０】
ＳＴＢ３０においては、これらデジタルビデオ信号出力部６１及びモニタ制御信号出力部６２が、外部に接続される表示装置３１に対してデジタル信号を送出する、いわゆるデジタルビデオインタフェースとして構成されている。なお、図５においては、デジタルビデオ信号出力部６１とモニタ制御信号出力部６２とを別々に示しているが、これらは一体に構成されていてもよく、所望とするデジタルビデオインタフェースに応じて構成すればよい。
【００６１】
また、ＳＴＢ３０では、デジタルビデオ信号出力部６１及びモニタ制御信号出力部６２で送出するデジタル信号の信号形式に限定されるものではないが、規格化された信号形式を用いることが望ましい。これにより、ＳＴＢ３０は、同じ規格を有する表示装置３１及び／又は印刷装置３２に対して接続することが容易となる。
【００６２】
規格化された信号形式としては、例えば、社団法人日本電子工業振興協会（ＪＥＩＤＡ）が平成１１年１月に制定したデジタルモニタインタフェース標準（Digital Interface Standards for Monitor）Version 1.0 がある。この規格では、次のような信号形式がサポートされている。
【００６３】
１）  デジタルデータ
ＴＭＤＳ（Transition Minimaized Differential Signaling）
ＬＶＤＳ（Low Voltage Differential Signaling）
ＧＶＩＦ（Giga-bit Video InterFace）
いずれか必須
２）  分離された水平・垂直同期信号                  必須
３）  データイネーブル信号                          必須
４）  ＤＤＣ（Display Data Channel）                必須
５）  ＶＥＳＡホットプラグ用信号（ＳＥＮＳ）        必須
６）  ＵＳＢ（Universal Serial Bus）                オプション
そして、上述したような信号形式の組み合わせによって、以下の表１に示すような４つの標準が定められている。
【００６４】
【表１】
0004265053.tif 000002
【００６５】
なお、表１に示す４つの標準のうち、標準２ｂ及び標準３は、同一の信号線を利用してビデオ信号と制御信号とを送出する標準である。ＳＴＢ３０は、例えば、これら標準２ｂ及び標準３に対応させる場合に、上述したように、デジタルビデオ信号出力部６１とモニタ制御信号出力部６２とを一体に構成し、同一の信号線を利用してビデオ信号と制御信号とを送出する構成とすることが望ましい。
【００６６】
ところで、ＳＴＢ３０においては、上述したデジタルビデオ信号出力部６１及びモニタ制御信号出力部６２が、上記描画手段により生成された画像データを、表示装置３１及び印刷装置３２に対して伝送する出力手段として構成されている。なお、本発明において、ＳＴＢ３０の出力手段は、係る構成に限定されるものではなく、上述した描画手段により生成された画像データを画像データを、上述したように第１の信号伝送手段を介して伝送する機能を有していればよいことは云うまでもない。
【００６７】
また、ＳＴＢ３０において、Ｉ／Ｏ制御部６３は、ＳＴＢ３０内に設けられたシステムバスに接続され、例えばリモートコントローラによる使用者からの各種操作指示が入力される。また、Ｉ／Ｏ制御部６３は、例えば、ＩＣカードに対する記録再生を行う構成としてもよい。具体的には、例えば、スクランブル処理が施されたデジタル放送を受信する際に、使用者が送信局と所定の契約を交わしているか否かを示す情報や、有料デジタル放送を受信する際の課金情報などをＩＣカードに記録しておき、このＩＣカードから読み取った情報に基づいて、デジタル放送のスクランブル解除を行ったり、受信可能な残り時間を制御してもよい。また、Ｉ／Ｏ制御部６３は、送信局に対する契約情報の取得や、モデム６４を介して受信した電子メールの復号を行うとしてもよい。
【００６８】
モデム６４は、例えば電話回線やインターネット等の通信ネットワークを介して、各種情報を送受信する機能を有するとともに、ＳＴＢ３０内に設けられたシステムバスに接続されている。ＳＴＢ３０においては、必ずしもモデム６４を備える必要はないが、モデム６４を備えることにより、以下のような処理を行うことが可能となる。
【００６９】
モデム６４は、例えば、ＩＣカードに対して記録再生を行う課金情報等を、デジタル放送の送信局や顧客管理センタなどに対して、通信ネットワークを介して送受信（アップリンク／ダウンリンク）する。あるいは、例えば、データデコーダ５８から出力されたＳＩ情報の中に、通信ネットワークを介して所定の情報アドレスにアクセスすることで所定の情報を取得する旨の指示が含まれている場合には、その情報をモデム６４によって取得することが可能となる。このようにして取得した情報は、必要に応じてＣＰＵシステム６５により展開処理を行ってＳＩ表示信号を生成してもよい。
【００７０】
ＣＰＵシステム６５は、例えば、ＣＰＵ（Central Processing Unit）、プログラムＲＯＭ（Read Only Memory）、フォントＲＯＭ、ＲＡＭ（Random Access Memory）、フラッシュメモリ等から構成されてなる。ＣＰＵシステム６５は、ＳＴＢ３０内に設けられたシステムバスに接続され、このシステムバスを介して各種制御信号の送受信を行うことにより、ＳＴＢ３０を構成する各部に対する制御を行う。すなわち、ＣＰＵシステム６５は、例えば、Ｉ／Ｏ制御部６３に入力された使用者からの各種操作指示に応じて、ＳＴＢ３０を構成する各部に対する制御を行う。なお、図５においては、システムバスとＳＴＢ３０を構成する各部との間で送受信される各種制御信号の流れを示す矢印を、一部省略して示している。
【００７１】
また、ＣＰＵシステム６５は、上述したように、データデコーダ５８から出力されたＳＩ制御信号に基づいて、例えば、フォントＲＯＭに備えるフォントデータを利用した変換処理を行うことにより、表示可能なＳＩ表示信号に変換する処理を行う。これにより、例えば、ＳＩ情報に基づいて、文字情報をオンスクリーン表示（ＯＳＤ：On Screen Display）することが可能となる。
【００７２】
プリンタ制御信号インタフェース６６は、ＳＴＢ３０内に設けられたシステムバスに接続され、印刷装置３２に対してプリンタ制御信号の送受信を行う機能を有している。プリンタ制御信号は、ＳＴＢ３０から外部に接続された印刷装置３２に対して、例えば、印刷（プリント）動作の開始及び／又は中止を指示したり、プリントする画像のサイズや内容を指示する信号である。また、例えば、印刷装置３２からＳＴＢ３０に対して、プリント動作の完了や、用紙不足、用紙詰まり、インク不足などの情報を提供する信号である。
【００７３】
プリンタ制御信号インタフェース６６は、具体的な動作の一例を挙げると、例えば、Ｉ／Ｏ制御部６３に入力された使用者からのプリント開始の指示を、システムバスを介して受信した場合に、印刷装置３２に対して、プリント動作の開始を指示するプリンタ制御信号を送信する。そして、印刷装置３２がプリント動作を正常に完了すると、この印刷装置３２から送信されたプリント動作完了の情報を受信し、プリント動作が正常に完了したことを確認する。
【００７４】
また、プリンタ制御信号インタフェース６６は、印刷装置３２が、例えば用紙不足や用紙詰まりなどによって、正常なプリント動作が不能となった場合に、この情報を受信して、プリント動作が正常に完了しなかったことを確認する。このとき、ＳＴＢ３０においては、例えば、プリントが正常に完了していないことを示すＳＩ制御信号をＣＰＵシステム６５によって生成し、合成器５９及びデジタルビデオ信号出力部６１を介して表示装置に所定の映像信号を送信することにより、プリント動作が正常に完了していないことを示す画像を表示装置３１に表示させてもよい。
【００７５】
ところで、本実施例においては、ＳＴＢ３０と印刷装置３２とが、上述した第１の信号伝送手段とは別に、この第１の信号伝送手段よりも伝送速度が遅い第２の信号伝送手段によって接続されている。そして、ＳＴＢ３０のプリンタ制御信号インタフェース６６は、この第２の信号伝送手段を介して印刷装置３２に対してプリンタ制御信号を送受信する構成とされている。なお、本発明においては、係る構成に限定されるものではなく、例えば、ＳＴＢ３０から送信される映像信号の隙間にプリンタ制御信号を混入させることにより、このプリンタ制御信号を第１の信号手段を介して送受信する構成とすることもできる。
【００７６】
しかしながら、プリンタ制御信号は、第１の信号伝送手段によって送信される画像データと比較して、極めて情報量が少ないため、高速な第１の信号伝送手段を介して送受信する必要がない。そのため、ＳＴＢ３０と印刷装置３２とは、第１の信号伝送手段とは別に設けられた第２の信号伝送手段を用いてプリンタ制御信号の送受信を行うことによって、第１の信号伝送手段を画像データの伝送に占有することができ、この第１の信号伝送手段にプリント制御信号を混入させることによる伝送速度の低下などを防止することができる。
【００７７】
また、本発明においては、後述する実施例で説明するように、この第２の信号伝送手段によって、プリント制御信号だけでなく、画像データよりも情報量の少ない各種信号を送受信するとしてもよい。
【００７８】
このような第２の信号伝送手段としては、例えば、導線や光ファイバ等の信号線を相互に接続する、いわゆる有線型の信号伝送手段であってもよいし、電波や赤外線等によって信号を伝送する、いわゆる無線型の信号伝送手段であってもよい。具体的には、例えば、ＩＥＥＥ８０２．３（イーサネット）、ＩＥＥＥ１３９４、ＵＳＢ等の各種規格に基づいた信号伝送手段であってもよい。
【００７９】
表示装置３１は、例えば、図６に示すように、デジタルビデオ信号入力部７０と、モニタ制御信号入力部７１と、表示デバイス駆動部７２と、表示デバイス７３と、スピーカ７４とを備える。なお、図６においては、表示装置３１を構成する各部の間で送受信される各種信号の流れを矢印で示している。
【００８０】
デジタルビデオ信号入力部７０及びモニタ制御信号入力部７１は、ＳＴＢ３０から送信された映像信号、すなわちデジタルビデオ信号とモニタ制御信号とをそれぞれ受信して、この映像信号から表示装置３１で表示する画像データを抽出する機能を有している。
【００８１】
表示デバイス駆動部７２は、デジタルビデオ信号入力部７０及びモニタ制御信号入力部７１によって抽出された画像データが入力され、この画像データに基づいて、表示デバイス７３を駆動する駆動信号を生成する。駆動信号としては、例えば、ＲＧＢ信号等である。
【００８２】
表示デバイス７３は、表示デバイス駆動部７２によって生成された駆動信号に基づいて、所定の画像を表示する機能を有している。具体的には、例えば、ＣＲＴ（Cathode Ray Tube）、ＬＣＤ（Liquid Cristal Display）、プラズマディスプレイ等である。
【００８３】
スピーカ７４は、ＳＴＢ３０から送信された音声信号を受信して、この音声信号を再生する機能を有している。
【００８４】
つぎに、以下では、表示装置３１における表示デバイス７３上に表示される表示画像の一例について説明する。本発明は、上述したように、地上波放送、衛星放送、有線放送などの形態によって一般家庭に提供されるデジタル放送を受信するだけにとどまらず、例えば、既存のアナログ放送や、インターネット環境などのような様々なサービスの受信が可能な総合情報端末を提供する際に適用することができる。このような総合情報端末では、多数提供される番組の選択・視聴を容易且つ的確に実現するとともに、様々なサービスに対する容易な操作を実現することが重要となる。
【００８５】
したがって、表示装置３１における表示デバイス７３上に表示される表示画像は、例えば、図７に示すような画像とすることが望ましい。なお、図７は、表示装置３１を起動した直後に表示デバイス７３上に表示される、初期画面の一例である。すなわち、表示装置３１の初期画面においては、図７に示すように、例えば、受信中のハイビジョン放送を表示する領域Ｓ１、受信中のライブ番組の一覧を表示する領域Ｓ２、ホームサーバに記録されている番組の一覧を表示する領域Ｓ３、天気に関する情報を表示する領域Ｓ４、各種放送の番組表を表示する領域Ｓ５、テレビ新聞の見出し等のような文字情報を表示する領域Ｓ６などにより構成されている。
【００８６】
また、表示装置３１の初期画面は、例えば、各種ニュースや音楽などの音声サービスを選択する領域Ｓ７、電子メール等のような各種インターネット環境に対して選択・操作する領域Ｓ８、印刷装置３２に対してプリント動作の指示を行う領域Ｓ９などにより構成されている。
【００８７】
このように、様々な映像、音声、及びサービスを構成する表示画像は、ＳＴＢ３０の合成器５９によってひとつの画面に合成され、表示装置３１の表示デバイス７３上に表示される。そして、例えば、リモートコントローラ等によりＩ／Ｏ制御部６３を介して、使用者から特定の操作指示が入力されると、ＳＴＢ３０は、所定の映像、音声、又はサービスについて、拡大表示等の処理を行う。
【００８８】
なお、表示装置３１においては、表示装置３１の起動後に所定の時間だけ図７に示すような初期画面が表示され、使用者からの操作指示がない場合に、自動的に特定の映像、音声、又はサービスを表示するように切り替えるとしてもよい。あるいは、使用者の要求に応じて、映像、音声、及びサービスの並びを自由にカスタマイズ可能とすることもできる。
【００８９】
つぎに、表示装置３１に表示される画面における、図７に示すような初期画面からのナビゲーションの一例について説明する。なお、図７においては、使用者から入力される所定の操作指示による、表示装置３１に表示される内容の変化を矢印で示している。
【００９０】
表示装置３１は、その起動直後に、図８に示すように、初期画面が表示された状態Ｓ１０とされている。この状態Ｓ１０から、使用者により天気情報を表示する旨の操作指示が入力されると、表示装置３１は、天気情報が表示デバイス７３上に拡大表示された状態Ｓ１１となる。なお、この状態Ｓ１１から使用者により所定の操作指示が入力されると、初期画面が表示された状態Ｓ１０に戻る。
【００９１】
また、初期画面が表示された状態Ｓ１０から、使用者により番組表を表示する旨の操作指示が入力されると、表示装置３１は、番組表が表示デバイス７３上に拡大表示された状態Ｓ１２となる。
【００９２】
この状態Ｓ１２で、使用者から番組についての詳細な情報を表示する旨の操作指示が入力されると、ＳＴＢ３０は、例えばモデム６４等により、通信ネットワークを介してアクセスを行い、番組に関する詳細な情報を取得して、それを表示デバイス７３上に表示した状態Ｓ１３となる。
【００９３】
また、初期画面が表示された状態Ｓ１０、又は番組表が表示された状態Ｓ１２において、使用者から所定の番組を選択する旨の操作指示が入力されると、特定の放送を表示デバイス７３上に拡大表示した状態Ｓ１４となる。
【００９４】
番組表が表示デバイス７３上に拡大表示された状態Ｓ１２においては、使用者からの所定の操作指示により、特定の番組について録画予約を行う状態Ｓ１５に移行してもよい。また、この状態Ｓ１５において、予約を行った所定の時刻になった時点で、特定の放送を拡大表示した状態Ｓ１４に移行してもよい。
【００９５】
また、特定の放送を表示デバイス７３上に拡大表示した状態Ｓ１４において、使用者から所定の操作指示が入力されると、表示している放送に関連する情報を選択するリストを表示した状態Ｓ１６となる。この状態Ｓ１６から特定の関連情報を選択することにより、その関連情報を表示する状態Ｓ１７となる。なお、このような関連情報は、ＳＴＢ３０によって、例えばモデム６４等により、通信ネットワークを介してアクセスを行い、特定の関連情報を取得する。
【００９６】
また、初期画面が表示された状態Ｓ１０において、使用者から所定の操作指示が入力されると、テレビ新聞の概要を表示した状態Ｓ１８となる。この状態Ｓ１８から、特定の記事の選択がなされると、その記事に関する本文を表示した状態Ｓ１９となる。なお、このようなテレビ新聞の内容は、ＳＴＢ３０におけるモデム６４等により、通信ネットワークを介してアクセスを行って取得する。また、初期画面が表示された状態Ｓ１０から直接、テレビ新聞の本文を表示した状態Ｓ１９に移行するとしてもよい。
【００９７】
また、初期画面が表示された状態Ｓ１０において、使用者から所定の操作指示が入力されると、音声サービスがスピーカ７４から音声出力された状態Ｓ２０となる。あるいは、環境映像が表示された状態Ｓ２１となる。なお、音声サービスが音声出力されるとともに、環境映像が表示された状態としてもよい。
【００９８】
印刷装置３２は、例えば、図９に示すように、デジタルビデオ信号入力部８０と、モニタ制御信号入力部８１と、プリントデータ抽出部と、プリント処理部８３と、プリントヘッド駆動部８４と、プリントヘッド８５と、プリンタ制御信号インタフェース部８６と、プリンタＣＰＵシステム８７とを備える。なお、図９においては、印刷装置３２を構成する各部の間で送受信される各種信号の流れを矢印で示している。
【００９９】
デジタルビデオ信号入力部８０及びモニタ制御信号入力部８１は、表示装置３１におけるデジタルビデオ信号入力部７０及びモニタ制御信号入力部７１に相当し、ＳＴＢ３０から送信された映像信号、すなわちデジタルビデオ信号とモニタ制御信号とをそれぞれ受信して、この映像信号から画像データを抽出する機能を有している。
【０１００】
プリントデータ抽出部８２は、デジタルビデオ信号入力部８０及びモニタ制御信号入力部８１によって抽出された画像データが入力されるとともに、この画像データから、印刷装置３２でプリントする画像データだけを抽出する機能を有している。
【０１０１】
印刷装置３２においては、このプリントデータ抽出部８２によって、表示装置３１で表示する画像データと同じ画像データを抽出してもよいが、例えば、ＳＴＢ３０において、表示装置３１で表示する画像データと印刷装置３２でプリントする画像データとが混在された映像信号が送信されている場合には、このプリントデータ抽出部８２によって、印刷装置３２で印刷する画像データだけを抽出する。
【０１０２】
ところで、印刷装置３２においては、デジタルビデオ信号入力部８０、モニタ制御信号入力部８１、及びプリントデータ抽出部８２が、ＳＴＢ３０から伝送された画像データを受信する受信手段として構成されている。なお、本発明において、印刷装置３２の受信手段は、係る構成に限定されるものではなく、上述した第１の伝送手段により受信した画像データを受信する機能を有していればよいことは云うまでもない。
【０１０３】
プリント出力処理部８３は、プリントデータ抽出部８２によって変換処理された画像データに基づいて、プリントヘッドによってプリントするために適したプリントデータを生成する機能を有している。
【０１０４】
プリント出力処理部８３は、具体的には例えば、ＬＵＴ（ルックアップテーブル）による変換処理、積和演算等が高速に実行できる演算回路を利用した演算処理、高速演算処理アルゴリズムを持つソフトウエアによって実現する演算処理、及び／又は専用変換回路による処理等で実現されている。このように、プリント出力処理部８３において演算処理を順次実行する場合には、入力される画像データにおける各データのビット数と同一のビット数で演算処理を行うと、各データの有効精度が悪化してしまう場合が多い。したがって、プリント出力処理部８３では、入力される画像データのビット数に対して、演算処理の途中で、各データのビット数を増加させ、演算処理の最終段階において、増加させたビット数を元の状態に減少させることが望ましい。これにより、有効精度の悪化を回避することができる。
【０１０５】
ところで、印刷装置３２においては、このプリント出力処理部８３が、上述した印刷装置３２の受信手段によって受信した画像データを処理して、印刷に適した印刷用画像データを生成する変換処理手段として構成されている。本発明においては、この変換処理手段は必須のものではないが、印刷装置３２に変換処理手段を備えることにより、ＳＴＢ３０から表示装置３１に対して送信されている表示に適した画像データから、印刷に適した画像データを生成することができ、より高品質な印刷を行うことが可能となる。
【０１０６】
プリントヘッド駆動部８４は、プリント出力処理部８３によって生成されたプリントデータに基づいて、プリントヘッド８５を駆動する駆動信号を生成する。
【０１０７】
プリントヘッド８５は、プリントヘッド駆動部８４によって生成された駆動信号に基づいて、駆動され、プリント用紙に所定の画像をプリントする機能を有している。なお、図９においては、図示を省略しているが、印刷装置３２は、プリントヘッド８５とともに、プリント用紙を供給する用紙供給部が備えられている。なお、用紙供給部は、従来から用いられている各種印刷装置と同様の構成であるため、説明を省略する。
【０１０８】
ところで、印刷装置３２においては、これらプリントヘッド駆動部８４及びプリントヘッド８５が、画像データを印刷する印刷手段として構成されている。なお、本発明においては、係る構成に限定されるものではなく、上述した印刷装置３２の受信手段により受信した画像データを印刷する機能を有していればよいことは云うまでもない。
【０１０９】
プリンタ制御信号インタフェース部８６は、印刷装置３２内に設けられたプリンタシステムバスに接続され、ＳＴＢ３０に対してプリンタ制御信号の送受信を行う機能を有している。すなわち、プリンタ制御信号インタフェース部８６は、ＳＴＢ３０におけるプリンタ制御信号インタフェース６６と同等のものであり、例えば、ＳＴＢ３０から送信されるプリント動作の開始及び／又は中止の指示を受信したり、印刷装置３２におけるプリント動作の完了や用紙不足などの情報をＳＴＢ３０に送信する機能を有している。
【０１１０】
プリンタＣＰＵシステム８７は、例えば、ＣＰＵ、プログラムＲＯＭ、ＲＡＭ、フラッシュメモリ等から構成されてなる。プリンタＣＰＵシステム８７は、印刷装置３２内に設けられたプリンタシステムバスに接続され、このプリンタシステムバスを介して各種制御信号の送受信を行うことにより、印刷装置３２を構成する各部に対する制御を行う。すなわち、プリンタＣＰＵシステム８７は、例えば、プリンタ制御信号インタフェース部８６が受信したプリント動作の開始の指示に基づいて、印刷装置３２を構成する各部に対する制御を行う。あるいは、プリンタＣＰＵシステム８７は、例えば、印刷装置３２を構成する各部からの情報をプリンタシステムバスを介して受信し、プリント動作の完了や用紙不足などの情報を処理して、プリンタ制御信号インタフェース部８６に送信する。
【０１１１】
なお、図９においては、プリンタシステムバスと印刷装置３２を構成する各部との間で送受信される各種制御信号の流れを示す矢印を、一部省略して示している。
【０１１２】
つぎに、以下では、プリント出力処理部８３の具体的な構成例について説明する。
【０１１３】
プリント出力処理部８３は、図１０に示すように、例えば、拡大部９０と、ＲＧＢ−ＣＭＹ変換部９１と、色補正部９２と、黒抽出下色除去部９３と、出力ガンマ補正及び階調修正部９４と、シャープネス修正部９５と、出力特性変換部９６とを備える。なお、図１０においては、プリント出力処理部８３を構成する各部の間で送受信される各種信号の流れを矢印で示している。
【０１１４】
拡大部９０は、プリントデータ抽出部８２から例えばＲＧＢ信号によって出力された画像データの画素数が、プリントする画像の画素数と比較して少ない場合に、入力された画像データに対して拡大処理を行い、プリントするために適した画素数に変換する。
【０１１５】
拡大部９０には、プリントデータ抽出部８２から、例えば図１１に示すように、上述したデジタル放送の動画画像の規格の一つである７２０ｐ（７２０×１２８０画素）である画像データが入力される。このとき、拡大部９０は、印刷装置３２がＡ４サイズのプリント用紙に３００ｄｐｉでプリントを行う場合に、図１１に示すように、入力された画像データの縦横の構成画素数を２．６７５倍に拡大して、１９２６×３４２４画素である画像データに変換する。
【０１１６】
ＲＧＢ−ＣＭＹ変換部９１は、拡大部９０で変換処理された画像データに基づいて、この画像データを構成するＲＧＢ信号に変換処理を施し、プリントヘッド８５で使用するＣ（Cyan）、Ｍ（Magenta）、Ｙ（Yellow）の各色により構成されたインクやトナーに対応したＣＭＹ信号を生成する。この変換処理は、例えば、濃度Ｌｏｇ変換、補色変換、又は線形マスキング変換などによって実現することができる。
【０１１７】
色補正部９２は、ＲＧＢ−ＣＭＹ変換部９１によって生成されたＣＭＹ信号に対して色補正処理を行う。これにより、印刷装置３２は、プリントヘッド８５で使用するインクやトナーの分光吸収特性が、減法混色による理想的な特性と異なっている場合に生じるプリント画像の色調、特に色相と彩度のずれを補正することができる。色補正部９２において行う色補正処理は、具体的には、ＬＵＴ（Look Up Table）を用いた演算による変換、線形マスキング演算による変換、又は非線形マスキング演算による演算などによって実現することができる。
【０１１８】
また、印刷装置３２に入力される画像データにおける表現可能な色特性の範囲と、プリントヘッド８５によってプリント用紙に再現可能な色特性の範囲とが異なる場合には、色補正部９２において、画像データに対して色特性を圧縮処理やクリップ処理を行う。これにより、プリントヘッド８５により再現可能な色特性の範囲を超える画像データが印刷装置３２に入力された場合であっても、この画像データに含まれる色特性の情報を効率よく利用して最適なプリント処理を行うことが可能となる。
【０１１９】
黒抽出下色除去部９３は、プリントヘッド８５に黒色（以下、Ｋと記す。）のインク又はトナーが備えられている場合に、色補正部９２によって色補正処理が行われた画像データに対して黒色の抽出及び下色の除去を行う。すなわち、黒抽出下色除去部９３は、色補正部９２から入力されたＣＭＹ信号中に含まれるＫ成分を抽出するとともに、Ｃ、Ｍ、Ｙの各成分から抽出したＫ成分に相当する値を減算し、Ｃ、Ｍ、Ｙ、Ｋの各成分から構成されてなるＣＭＹＫ信号を生成する。
【０１２０】
このように、ＣＭＹ信号のうちＫ成分を抽出してＣＭＹＫ信号に置換する方法としては、例えば、ＣＭＹ信号中に含まれるＫ成分をすべて抽出する方法や、所定の割合のＫ成分を抽出・置換する方法、所定の濃度以上の領域でＫ成分を抽出・置換する方法など、様々な方法がある。
【０１２１】
印刷装置３２においては、黒抽出下色除去部９３によってＣＭＹ信号をＣＭＹＫ信号に変換し、ＣＭＹ信号中に含まれるＫ成分を黒色のインク又はトナーによってプリント処理することにより、Ｃ、Ｍ、Ｙの各インク又はトナーだけでは十分に再現することが困難な黒色部分を、最適な品質でプリントすることが可能となる。なお、印刷装置３２において、プリントヘッド８５に黒色のインク又はトナーが備えられていない場合には、黒色抽出除去部９３は、上述した黒色抽出・置換処理を行わない。あるいは、この場合には、黒色抽出下色除去部９３を備えずにプリント出力処理部８３を構成してもよい。
【０１２２】
出力ガンマ補正及び階調修正部９４は、黒抽出下色除去部９３によってＣＭＹＫ信号とされた画像データに対して、ガンマ補正処理、及び階調修正処理を行う。具体的には、プリントヘッド８５における中間調の再現方法に特徴的な出力特性を有する場合に、入力された画像データに対して、その出力特性に適したガンマ補正処理、及び階調修正処理を行う。
【０１２３】
シャープネス修正部９５は、出力ガンマ補正及び階調修正部９４によって補正及び修正された画像データに対して、画像の輪郭部に対する強調処理、及びスムージング処理を行う。これにより、印刷装置３２においては、プリントする画像の品質を向上させることができる。
【０１２４】
出力特性変換部９６は、シャープネス修正部９５によって処理された画像データに対して、プリントヘッド８５の種類、プリントヘッド８５の駆動方法、プリント用紙の種類、インク又はトナーの種類などに応じて、プリントする画像の品質が最適となるように、各種特性を変換する。また、プリント時の環境温度、プリントヘッド８５における熱履歴特性、プリントヘッド８５に備えられたプリント素子のばらつき等に応じて、各種特性を変換する。
【０１２５】
なお、画像データに対する各種特性の変換処理のうち、プリントヘッド駆動部８４において、補正を行うことが適している変換処理については、このプリントヘッド駆動部８４にて行うとすればよい。
【０１２６】
つぎに、プリントヘッド８５において、黒色のインク又はトナーだけによってプリントする場合におけるプリント出力処理部８２の構成の一例を、図１２を参照しながら説明する。なお、図１２において、図１０に図示する部分と同一又は同等の部分については、図１０と同一の符号を付し、詳細な説明を省略する。
【０１２７】
プリント出力処理部８３は、プリントヘッド８５において黒色のインク又はトナーだけによってプリントする場合に、図１２に示すように、例えば、拡大部９０と、ＲＧＢ−Ｋ変換部１００と、出力ガンマ補正及び階調修正部９４と、シャープネス修正部９５と、出力特性変換部９６とを備える。すなわち、この場合にプリント出力処理部８３は、上述したＲＧＢ−ＣＭＹ変換部９１、色補正部９２、及び黒抽出下色除去部９３との代わりに、ＲＧＢ−Ｋ変換部を備えて構成される。
【０１２８】
ＲＧＢ−Ｋ変換部１００は、拡大部９０からＲＧＢ信号によって出力された画像データに基づいて、所定の演算を行い、黒色（Ｋ）の濃度情報だけからなるＫ信号を生成する。このＲＧＢ−Ｋ変換部１００では、例えば、以下の式１で求められる輝度情報Ｙに基づいてＫ信号を生成する。
【０１２９】
Ｙ＝０．２１２６×Ｒ＋０．７１５２×Ｇ＋０．０７２２×Ｂ    （式１）
なお、上記式１において、Ｒ，Ｇ，Ｂは、それぞれ、ＲＧＢ信号中のＲ成分、Ｇ成分、Ｂ成分の輝度を示す。
【０１３０】
また、図１２に示すように、プリントヘッド８５において黒色（Ｋ）だけでプリントを行うときには、プリントヘッド８５が画像データに含まれる階調を全て再現することができない場合がある。この場合には、シャープネス修正部９５又は出力特性変換部９６において、プリントヘッド８５で再現可能な階調の数に応じてディザ処理を行う。ディザ処理としては、例えば、組織的ディザ法や誤差拡散法などを利用して、疑似階調を表現する。
【０１３１】
つぎに、以下では、プリントヘッド８５の具体的な構成例について説明する。なお、以下の説明では、印刷装置３２のプリントヘッド８５を、いわゆるモノクロレーザプリンタに適用した場合の一例について説明する。
【０１３２】
プリントヘッド８５は、図１３に示すように、例えば、レーザ出力部１１０と、ポリゴンミラー１１１と、モータ１１２と、レンズ１１３と、反射ミラー１１４と、感光ドラム１１５と、帯電チャージャ１１６と、現像器１１７と、転写チャージャ１１８と、一対の搬送ローラ１１９，１２０とを備える。
【０１３３】
このように、プリントヘッド８５がモノクロレーザプリンタとして構成されている場合には、プリンタ出力処理部８３によってＫ信号として変換された画像データが、プリントヘッド駆動部８４（この場合には例えばレーザコントロール部やレーザドライバにより構成される。）によってレーザ出力信号に変換され、ポリゴンミラー１１１等と同期して、レーザ出力部１１０からレーザ光として出力される。
【０１３４】
レーザ出力部１１０から出力されたレーザ光は、ポリゴンミラー駆動部（図示せず。）によって駆動されるモータ１１２とともに回転するポリゴンミラー１１１に反射され、レンズ１１３及び反射ミラー１１４を経由して、感光ドラム１１５の主面を線状に走査する。感光ドラム１１５は、ドラム駆動モータ（図示せず。）によってレーザ光の走査方向を軸として回転駆動されている。また、感光ドラム１１５は、帯電チャージャ１１６によって帯電されており、レーザ光で走査されることで、画像データに応じた潜像が主面上に形成される。
【０１３５】
そして、感光ドラム１１５の主面上に形成された潜像に対して、現像器１１７によってトナーが供給され、トナー像が形成される。トナー像は、感光ドラム１１５の回転に伴って、転写チャージャ１１８に対向する位置までくると、図示を省略する給紙部から一対の搬送ローラ１１９，１２０によって搬送されてくるプリント用紙１３０に転写される。その後、プリント用紙１３０は、図示を省略する定着器によってトナーが定着され、印刷装置３２の外に排出される。
【０１３６】
以上の説明では、印刷装置３２におけるプリント方式として、従来から用いられているモノクロレーザプリンタを適用した場合について説明したが、本発明においては、このようなモノクロレーザプリンタ方式に限定されるものではなく、例えば、複数の感光ドラムを有するカラーレーザプリンタや、インクジェットプリンタ方式、感熱プリンタ、昇華型熱転写プリンタ等の各種プリント方式を適用することができることは云うまでもない。
【０１３７】
つぎに、以下では、上述したＳＴＢ３０、表示装置３１、及び印刷装置３２の動作の一例について、図１４乃至図１６を参照しながら説明する。なお、以下の説明では、印刷装置３２において、表示装置３１に表示されている表示画像をそのままプリントする場合の例と、表示装置３１に表示されている表示画像の一部、又はその表示画像に関連づけが行われているプリント画像をプリントする場合の例とについて説明する。
【０１３８】
前者の場合では、印刷装置３２がデジタルビデオ信号入力部８０及びモニタ制御信号入力部８１によってＳＴＢ３０から送信された映像信号を受信し、この映像信号から印刷装置３２がプリントデータを生成する。また、後者の場合では、表示装置３１に表示されている表示画像の一部、又はその表示画像に関連づけが行われているプリント画像を、ＳＴＢ３０が生成し、表示装置３１に対して送信する映像信号の間に、印刷装置３２に対して送信するプリント画像に関する信号を送信している。そして、印刷装置３２は、映像信号の間に送信されたプリント画像に関する信号を受信して、このプリント画像をプリントする。
【０１３９】
ＳＴＢ３０は、動作開始後に、図１４においてステップＳ３０に示すように、各種放送を受信して合成器５９によって各種画像を合成し、ビデオＲＡＭにその画像を書き込む。このとき合成する画像は、例えば、図７に示すような初期画面とする。また、この初期画面を映像信号として表示装置３１に送信し、表示装置３１の表示デバイス７３上に表示する。
【０１４０】
使用者からの操作指示が一定時間なかった場合には、ステップＳ３１に示すように、前回選択された番組又は情報アドレスをＣＰＵシステム６５のフラッシュメモリ等から取得して、その番組放送又は情報アドレスを設定する。
【０１４１】
ステップＳ３１において、番組放送の表示が設定された場合には、ステップＳ３２に示すように、ダウンコンバータ５０、チューナ５１等により、所定の番組放送を受信する。
【０１４２】
次に、ステップＳ３３に示すように、デスクランブル部５４、映像デコーダ５６等により、デコード処理を行う。
【０１４３】
次に、ステップＳ３４に示すように、デコード処理が施された映像信号及びＳＩ表示信号等を合成器５９により合成して、ビデオＲＡＭ６０に書き込む画像を更新する。
【０１４４】
また、ステップＳ３１において、情報アドレスが設定された場合には、ステップＳ３５に示すように、例えばモデム６４等により、通信ネットワークにアクセスし、所定の情報を取得する。あるいは、ステップＳ３５において、所定のデジタル放送を受信して所定の情報を取得する。
【０１４５】
次に、ステップＳ３６に示すように、取得した所定の情報に対して、例えばデータデコーダ５８やＣＰＵシステム６５によってデコード処理を行い、次のステップＳ３４に処理を進める。
【０１４６】
ステップＳ３４で更新された画像は、ステップＳ３７に示すように、ビデオＲＡＭ６０内で表示装置３１に表示する画像として生成される。
【０１４７】
次に、ステップＳ３８に示すように、ビデオＲＡＭ６０内に生成された表示画像をデジタルビデオ信号出力部６１を介して、映像信号として表示装置３１に送信する。
【０１４８】
次に、ステップＳ３９に示すように、表示装置３１において、映像信号を受信し、表示デバイス７３上に表示画像を表示する。
【０１４９】
次に、ステップＳ４０に示すように、ＳＴＢ３０のＩ／Ｏ制御部６３は、例えば番組放送又は情報アドレスの選択操作が使用者により入力されたか否かを、判定する。入力された場合には、上述したステップＳ３２又はステップＳ３５に戻り、新たな番組放送又は情報アドレスを受信する。入力されていない場合には、次のステップＳ４１に処理を進める。
【０１５０】
ステップＳ４１において、Ｉ／Ｏ制御部６３は、使用者からのプリント開始の操作指示が入力された否かを判定する。入力された場合には、図１５に示すステップ４２に処理を進める。入力されていない場合には、ステップＳ３２又はステップＳ３５に戻り、番組放送又は情報アドレスの受信を継続して、表示画像の更新を行う。
【０１５１】
次に、図１５に示すステップＳ４２において、使用者から入力されたプリント開始の指示が、表示装置３１に表示されている表示画像をそのままプリントする指示であるか、又は、表示装置３１の表示画像の一部、又はその表示画像に関連づけが行われているプリント画像をプリントする指示であるかを判定する。前者である場合には、次のステップＳ４３に処理を進める。また、後者である場合には、図１６に示すステップＳ４４に処理を進める。
【０１５２】
次に、ステップＳ４３において、ＳＴＢ３０は、ビデオＲＡＭ６０の更新を停止するとともに、表示装置３１及び印刷装置３２に対して送信する映像信号の内容を所定の画像に保ち、処理を次のステップＳ４６に進める。
【０１５３】
ステップＳ４６において、ＳＴＢ３０は、プリンタ制御信号インタフェース６６を介して、印刷装置３２に対してプリント開始の指示を送信する。
【０１５４】
次に、ステップＳ４７において、プリンタ装置３２は、デジタルビデオ信号入力部８０及びモニタ制御信号入力部８１により、ＳＴＢ３０から送信される映像信号を受信する。
【０１５５】
次に、ステップＳ４８において、プリントデータ抽出部８２により、受信した映像信号からプリントする画像データを抽出する。
【０１５６】
次に、ステップＳ４９において、プリント出力処理部８３により、抽出された画像データをプリントに適したプリントデータに変換処理する。
【０１５７】
次に、ステップＳ５０において、プリントデータに基づいて、プリントヘッド駆動部８４によりプリントヘッド８５を駆動する。
【０１５８】
次に、ステップＳ５１において、プリントヘッド８５により、プリント動作を行う。
【０１５９】
次に、ステップＳ５２において、プリンタＣＰＵシステム８７により、プリント動作が完了したか否かを判定する。完了した場合には、次のステップＳ５３に処理を進める。完了していない場合には、プリント動作を継続するとともに、このステップＳ５２における判定を繰り返す。
【０１６０】
次にステップＳ５３において、印刷装置３２は、プリンタ制御インタフェース部８６を介して、プリント動作が完了した旨の情報をＳＴＢ３０に送信する。ＳＴＢ３０は、この情報をプリンタ制御インタフェース６６によって受信すると、処理を図１４に示したステップＳ３２又はステップＳ３５に戻し、ビデオＲＡＭ６０の更新を再開する。
【０１６１】
また、上述したステップＳ４２からステップＳ４４に処理が進められた場合には、このステップＳ４４において、ＳＴＢ３０は、プリンタ制御信号インタフェース６６を介して、印刷装置３２に対してプリント開始の指示を送信する。
【０１６２】
次に、図１６に示すステップＳ５４において、印刷装置３２のプリンタＣＰＵシステム８７は、プリントする画像を取得するために、新たに番組放送又は情報アドレスにアクセスする必要があるか否かを判定する。必要がある場合には、プリンタ制御信号インタフェース部８６を介してＳＴＢ３０に指示を送信し、次のステップＳ５５又はステップＳ５６に処理を進める。必要がない場合には、処理を次のステップＳ５７に進める。
【０１６３】
ステップＳ５５において、ＳＴＢ３０は、プリンタ制御信号インタフェース６６を介して印刷装置３２からの指示を受信し、所定の番組放送を新たに受信し、次のステップＳ５８に処理を進める。
【０１６４】
次に、ステップＳ５８において、ＳＴＢ３０は、受信した番組放送に対してデコード処理を施す。
【０１６５】
次に、ステップＳ５９において、ＳＴＢ３０は、デコード処理を施した番組放送に対して、データデコーダ５８又はＣＰＵシステム６５等により、プリント用の画像データを生成し、処理を次のステップＳ５７に進める。
【０１６６】
また、ステップＳ５６において、ＳＴＢ３０は、プリンタ制御信号インタフェース６６を介して印刷装置３２からの指示を受信し、所定の情報アドレスを新たに受信し、次のステップＳ６０に処理を進める。
【０１６７】
次に、ステップＳ６０において、ＳＴＢ３０は、受信した情報アドレスに対してデコード処理を施し、処理をステップＳ５９に進める。
【０１６８】
ステップＳ５７において、ＳＴＢ３０は、デジタルビデオ信号出力部６１及びモニタ制御信号出力部６２により、表示装置３１に送信する画像データの送信期間外に、プリント用の画像データを映像信号として印刷装置に送信する。そして、処理を次のステップＳ６１に進める。
【０１６９】
次に、ステップＳ６１において、印刷装置３２は、デジタルビデオ信号入力部８０及びモニタ制御信号入力部８１により、ＳＴＢ３０から送信された映像信号を受信する。また、プリントデータ抽出部８２により、受信した映像信号から、プリント用の画像データを抽出する。
【０１７０】
次に、ステップＳ６２において、プリント出力処理部８３により、抽出されたプリント用の画像データをプリントに適したプリントデータに変換処理する。
【０１７１】
次に、ステップＳ６３において、プリントデータに基づいて、プリントヘッド駆動部８４によりプリントヘッド８５を駆動する。
【０１７２】
次に、ステップＳ６４において、プリントヘッド８５により、プリント動作を行う。
【０１７３】
次に、ステップＳ６５において、プリンタＣＰＵシステム８７により、プリント動作が完了したか否かを判定する。完了した場合には、図１４に示すステップＳ３２又はステップＳ３５に処理を進め、ＳＴＢ３０における番組放送又は情報アドレスの受信、及びビデオＲＡＭ６０の更新を再開する。完了していない場合には、プリント動作を継続するとともに、このステップＳ６５における判定を繰り返す。
【０１７４】
第２の実施例
つぎに、以下では、本発明の第２の実施例について説明する。第２の実施例は、図１７に示すように、上述した第１の実施例における印刷装置３２に対して、プリントデータ抽出部８２の後段にプリント画像ＲＡＭ１４０を加えた構成とされている。なお、以下の説明においては、図７に示した印刷装置３２と同一又は同等の部位についての説明を省略し、図１７において同一の符号を付すこととする。
【０１７５】
プリント画像ＲＡＭ１４０は、プリントデータ抽出部８２によって抽出された画像データのうちの少なくとも一部を一時保持する機能を有している。そして、印刷装置３２においては、プリント画像ＲＡＭ１４０に保持された画像データがプリント出力処理部８３に出力される構成とされている。
【０１７６】
印刷装置３２においては、プリントする画像データをＳＴＢ３０から受信する時間と比較して、プリント動作が完了するまでに多くの時間を要してしまう。したがって、上述した第１の実施例においては、図１５においてステップＳ４３で説明したように、印刷装置３２のプリント動作が完了するまでＳＴＢ３０のビデオＲＡＭ６０の更新を停止し、このビデオＲＡＭ６０に一時保持された所定の画像データを継続して送信している。そのため、第１の実施例では、印刷装置３２がプリント動作を完了するまで、表示装置３１に表示される表示画面の更新が行われず、所定の静止画像が表示されたままになってしまう。このことは、使用者にとって、印刷装置３２によるプリント動作が行われていることを容易に確認できるという利点がある一方で、番組放送の視聴が中断されてしまうという欠点ともなり得る。
【０１７７】
しかしながら、第２の実施例における印刷装置３２は、プリント画像ＲＡＭ１４０を備えていることにより、ＳＴＢ３０から送信される画像データのうちの少なくとも一部を一時保持することができるため、プリントする画像データがプリント画像ＲＡＭ１４０に十分に記録された段階で、プリント動作の完了を待つことなくＳＴＢ３０のビデオＲＡＭの更新を再開することが可能となり、番組放送の視聴を中断する時間を低減することができるようになる。
【０１７８】
なお、本発明においては、プリント画像ＲＡＭ１４０の記憶容量に限定されるものではないが、プリントする画像データの全てを一度に保持するに十分な記憶容量を備えていることが望ましい。これにより、プリント動作の完了までに所定の時間を要する場合であっても、ＳＴＢ３０のビデオＲＡＭ６０の更新を停止する必要がなくなり、番組放送の視聴を中断することなくプリント動作を行うことが可能となる。
【０１７９】
なお、プリント画像ＲＡＭ１４０は、プリントデータ抽出部８２の後段ではなく、プリント出力処理部８３の後段に設けるとしてもよい。プリント出力処理部８３における処理に要する時間が十分に短ければ、この場合であっても、上述と同様に、番組放送の視聴を中断する時間を低減することができる。
【０１８０】
第３の実施例
つぎに、以下では、本発明の第３の実施例について説明する。第３の実施例は、ＳＴＢ３０で受信されたデジタル放送に含まれる情報の一部を、印刷装置３２側で展開処理する場合の例である。
【０１８１】
この第３の実施例では、図１８に示すように、上述した第１の実施例におけるＳＴＢ３０に対して、ＳＩプリント信号出力部１５０を加え、図１９に示すように、上述した第１の実施例における印刷装置３２に対して、ＳＩプリント信号入力部１５１、データデコーダ１５２、合成器１５３、及びプリント画像ＲＡＭ１５４を加えた構成とされている。また、印刷装置３２のプリンタＣＰＵシステム８７は、フォントＲＯＭを備えた構成とされている。そして、ＳＴＢ３０のＳＩプリント信号出力部１５０と、印刷装置３２のＳＩプリント信号入力部１５１とは、上述した第２の信号伝送手段、又はこの第２の信号伝送手段と同等の信号伝送手段によって接続されている。
【０１８２】
なお、以下の説明においては、図５及び図７にそれぞれ示したＳＴＢ３０及び印刷装置３２と同一又は同等の部位についての説明を省略し、図１８及び図１９においては同一の符号を付すこととする。
【０１８３】
本実施例におけるＳＴＢ３０は、パケット分離部５５において、例えばＭＰＥＧ−２規格によって映像信号や音声信号が多重化された入力ストリームの中から、目的とする番組のパケットが分離されるとともに、さらにデータデコーダ５８によって映像信号や音声信号以外の情報、すなわちＳＩ制御信号が分離されてＣＰＵシステム６５に出力される。ＳＴＢ３０のＣＰＵシステム６５は、データデコーダ５８から出力されたＳＩ制御信号に基づいて、印刷装置３２で展開処理する情報をＳＩプリント信号として生成・抽出し、ＳＩプリント信号出力部１５０に出力する。ＳＩプリント信号出力部１５０は、ＳＩプリント信号を、第２の信号伝送手段、又はこの第２の信号伝送手段と同等の信号伝送手段を介して印刷装置３２に送信する。
【０１８４】
なお、ＳＩプリント信号は、画像データよりも情報量が少ない信号であり、例えば、印刷装置３２のデータデコーダ１５２によって所定の処理が施されることにより、例えば、サービス情報や文字情報等が生成される信号である。
【０１８５】
印刷装置３２は、ＳＴＢ３０から送信されたＳＩプリント信号を、ＳＩプリント信号入力部１５１によって受信する。そして、ＳＩプリント信号入力部１５１によって受信されたＳＩプリント信号は、データデコーダ１５２に入力される。データデコーダ１５２は、ＳＩプリント信号の復号を行い、復号後の信号のうち、表示可能なデータに直接展開できるＳＩプリント信号を合成器１５３に出力するとともに、表示可能なデータに直接展開できないＳＩプリント信号を、ＳＩ制御信号として、システムバスを介してプリンタＣＰＵシステム８７に出力する。
【０１８６】
このようにプリンタＣＰＵシステム８７に出力されたＳＩ制御信号は、このプリンタＣＰＵシステム８７で処理された後に、ＳＩ記録信号として、合成器１５３に出力される。このとき、プリンタＣＰＵシステム８７では、ＳＩ制御信号に基づいて、例えば、フォントＲＯＭに備えるフォントデータを利用した変換処理を行うことにより、表示可能なＳＩ記録信号に変換する。
【０１８７】
合成器１５３は、ＳＴＢ３０における合成器５９と同等なものであり、プリントデータ抽出部８２で抽出された画像データ、データデコーダ１５２から出力されたＳＩプリント信号、及びプリンタＣＰＵシステム８７で変換処理されたＳＩ記録信号が入力されるとともに、これらを合成し、プリント画像ＲＡＭ１５４に書き込む。プリント画像ＲＡＭ１５４に合成して書き込まれた画像データは、プリント出力処理部８３に出力される。
【０１８８】
本実施例では、画像データのように情報量が比較的多いデータは、高速な第１の信号伝送手段を介してＳＴＢ３０から印刷装置３２に伝送されており、画像データよりも情報量が少ないサービス情報や文字情報などのようなデータは、第１の信号伝送手段よりも低速な第２の信号伝送手段を介してＳＴＢ３０から印刷装置３２に伝送されている。したがって、本実施例では、例えばサービス情報や文字情報などを、印刷装置３２側で生成・合成することが可能であるとともに、をＳＴＢ３０側で生成する必要がないとともに、第１の信号伝送手段を画像データの伝送に占有することができ、この第１の信号伝送手段に画像データ以外の信号を混入させることによる伝送速度の低下を防止することができる。
【０１８９】
第４の実施例
つぎに、以下では、本発明の第４の実施例について説明する。第４の実施例は、上述した第３の実施例のように、ＳＴＢ３０で受信されたデジタル放送に含まれる情報の一部を、印刷装置３２側で展開処理する場合の別の例である。
【０１９０】
この第４の実施例では、図２０に示すように、上述した第１の実施例におけるＳＴＢ３０に対して、データストリーム信号出力部１６０を加え、図２１に示すように、上述した第１の実施例における印刷装置３２に対して、データストリーム信号入力部１６１、パケット分離部１６２、データデコーダ１６３、合成器１６４、及びプリント画像ＲＡＭ１６５を加えた構成とされている。また、印刷装置３２のプリンタＣＰＵシステム８７は、フォントＲＯＭを備えた構成とされている。そして、ＳＴＢ３０のデータストリーム信号出力部１６０と、印刷装置３２のデータストリーム信号入力部１６１とは、上述した第２の信号伝送手段、又はこの第２の信号伝送手段と同等の信号伝送手段によって接続されている。
【０１９１】
なお、以下の説明においては、図５及び図７にそれぞれ示したＳＴＢ３０及び印刷装置３２と同一又は同等の部位についての説明を省略し、図２０及び図２１においては同一の符号を付すこととする。
【０１９２】
本実施例におけるＳＴＢ３０は、デスクランブル部５４においてスクランブルの解除処理が行われたデータストリーム信号を、パケット分離部５５及びデータストリーム信号出力部１６０に出力する。データストリーム信号出力部１６０は、データストリーム信号を、第２の信号伝送手段、又はこの第２の信号伝送手段と同等の信号伝送手段を介して印刷装置３２に送信する。
【０１９３】
なお、データストリーム信号は、パケット分離部５５によって所望とする番組のパケットの取り出し処理が行われる以前の信号であり、印刷装置３２のパケット分離部１６２により、例えば、サービス情報や文字情報等が生成される信号である。
【０１９４】
印刷装置３２は、ＳＴＢ３０から送信されたデータストリーム信号を、データストリーム信号入力部１６１によって受信する。そして、データストリーム信号入力部１６１によって受信されたデータストリーム信号は、パケット分離部１６２に入力される。パケット分離部１６２は、ＳＴＢ３０におけるパケット分離部５５と同等の機能を有するものであり、データストリーム信号の中から、所望とする情報を含むパケットだけを取り出す処理を行う。パケット分離部１６２は、取り出したパケットを、データデコーダ１６３に対して出力する。
【０１９５】
データデコーダ１６３は、パケット分離部１６２によって取り出されたパケットのの復号を行い、復号後の信号のうち、プリント可能なデータに直接展開できるＳＩプリント信号を合成器１６４に出力するとともに、プリント可能なデータに直接展開できないＳＩ制御信号を、システムバスを介してプリンタＣＰＵシステム８７に出力する。
【０１９６】
このようにプリンタＣＰＵシステム８７に出力されたＳＩ制御信号は、このプリンタＣＰＵシステム８７で処理された後に、ＳＩ記録信号として、合成器１６４に出力される。このとき、プリンタＣＰＵシステム８７では、ＳＩ制御信号に基づいて、例えば、フォントＲＯＭに備えるフォントデータを利用した変換処理を行うことにより、プリント可能なＳＩ記録信号に変換する。
【０１９７】
合成器１６４は、ＳＴＢ３０における合成器５９と同等なものであり、プリントデータ抽出部８２で抽出された画像データ、データデコーダ１６３から出力されたＳＩプリント信号、及びプリンタＣＰＵシステム８７で変換処理されたＳＩ記録信号が入力されるとともに、これらを合成し、プリント画像ＲＡＭ１６５に書き込む。プリント画像ＲＡＭ１６５に合成して書き込まれた画像データは、プリント出力処理部８３に出力される。
【０１９８】
本実施例では、上述した第３の実施例と同様に、画像データのように情報量が比較的多いデータは、高速な第１の信号伝送手段を介してＳＴＢ３０から印刷装置３２に伝送されており、画像データよりも情報量が少ないサービス情報や文字情報などのようなデータは、第１の信号伝送手段よりも低速な第２の信号伝送手段を介してＳＴＢ３０から印刷装置３２に伝送されている。したがって、本実施例では、例えばサービス情報や文字情報などを、印刷装置３２側で生成・合成することが可能であるとともに、をＳＴＢ３０側で生成する必要がないとともに、第１の信号伝送手段を画像データの伝送に占有することができ、この第１の信号伝送手段に画像データ以外の信号を混入させることによる伝送速度の低下を防止することができる。
【０１９９】
第５の実施例
つぎに、以下では、本発明の第５の実施例について説明する。第５の実施例は、ＳＴＢ３０とは別に、印刷装置３２側にもデジタル放送の受信機能を備えて構成した場合の例である。
【０２００】
この第５の実施例では、図２２に示すように、上述した第１の実施例における印刷装置３２に対して、ダウンコンバータ１７０、チューナ１７１、デジタル復調部１７２、誤り訂正部１７３、デスクランブル部１７４、パケット分離部１７５、データデコーダ１７６、合成器、プリント画像ＲＡＭ１７８、及びモデム１７９を加えた構成とされている。また、印刷装置３２のプリンタＣＰＵシステム８７は、フォントＲＯＭを備えた構成とされている。
【０２０１】
なお、以下の説明においては、図７に示した印刷装置３２と同一又は同等の部位についての説明を省略し、図２２においては同一の符号を付すこととする。
【０２０２】
ダウンコンバータ１７０、チューナ１７１、デジタル復調部１７２、誤り訂正部１７３、デスクランブル部１７４、パケット分離部１７５、及びデータデコーダ１７６は、上述したＳＴＢ３０におけるダウンコンバータ５０、チューナ５１、デジタル復調部５２、誤り訂正部５３、デスクランブル部５４、パケット分離部５５、及びデータデコーダ５８にそれぞれ相当する。すなわち、本実施例では、印刷装置３２においても、ＳＴＢ３０に備えられたデジタル放送の受信手段と略同等なデジタル放送の受信手段が設けられている構成とされている。
【０２０３】
ただし、印刷装置３２においては、パケット分離部１７５で取り出したパケットを、データデコーダ１７６だけに対して出力する。そして、データデコーダ１７６においては、映像データや音声データの復号を行わず、ＳＩ情報だけについての復号を行う。データデコーダ１７６は、復号後の信号のうち、プリント可能なデータに直接展開できるＳＩ情報を合成器１７７に出力するとともに、プリント可能なデータに直接展開できないＳＩ情報を、ＳＩ制御信号として、システムバスを介してプリンタＣＰＵシステム８７に出力する。
【０２０４】
このようにプリンタＣＰＵシステム８７に出力されたＳＩ制御信号は、このプリンタＣＰＵシステム８７で処理された後に、ＳＩ記録信号として、合成器１７７に出力される。このとき、プリンタＣＰＵシステム８７では、ＳＩ制御信号に基づいて、例えば、フォントＲＯＭに備えるフォントデータを利用した変換処理を行うことにより、プリント可能なＳＩ記録信号に変換する。
【０２０５】
合成器１７７は、ＳＴＢ３０における合成器５９と同等なものであり、プリントデータ抽出部８２で抽出された画像データ、データデコーダ１７６から出力されたＳＩプリント信号、及びプリンタＣＰＵシステム８７で変換処理されたＳＩ記録信号が入力されるとともに、これらを合成し、プリント画像ＲＡＭ１７８に書き込む。プリント画像ＲＡＭ１７８に合成して書き込まれた画像データは、プリント出力処理部８３に出力される。
【０２０６】
以上のように、本実施例では、ＳＴＢ３０とは別に、印刷装置３２側にもデジタル放送の受信機能を備えて構成されている。これにより、印刷装置３２は、例えば、プリンタ制御信号インタフェース部８６によって受信したプリンタ制御信号に含まれる所定の信号に基づいて、表示装置３１で表示する画像データとは異なる所定の番組放送からサービス情報及び／又は文字情報を取得することが可能となる。したがって、印刷装置３２は、表示装置３１で表示する画像データをプリントするだけでなく、番組放送及び／又は情報アドレスに独自にアクセスすることが可能となり、より柔軟なプリント動作を行うことが可能となる。
【０２０７】
また、モデム１７９は、上述したＳＴＢ３０におけるモデム６４と略同等のものであり、例えば電話回線等の通信ネットワークを介して、各種情報を送受信する機能を有するとともに、印刷装置３２内に設けられたプリンタシステムバスに接続されている。
【０２０８】
本実施例では、印刷装置３２がモデム１７９を備えていることにより、ＳＴＢ３０のモデム６４とは異なる通信ネットワークに対して独自にアクセスすることが可能となり、より柔軟にサービス情報及び／又は文字情報を取得することが可能となる。
【０２０９】
以上で第１乃至第５の実施例を挙げて説明したが、これら実施例は、冒頭で述べたような受信部、表示部、及び印刷部の組み合わせのうち、これら各部をそれぞれ別々な構成として、ＳＴＢ３０、表示装置３１、及び印刷装置３２とした場合の例である。
【０２１０】
しかしながら、本発明は、受信部、表示部、及び印刷部をそれぞれ別々に構成した場合への適用に限定されるものではなく、例えば、図１に示したデジタルテレビ受像機１０、図２に示したデジタルテレビ受像機２０及び印刷装置２１、図４に示したＳＴＢ４０及び表示装置４１などのように、受信部、表示部、及び印刷部のうちの少なくとも一部を一体に構成した場合に対しても適用することが可能である。このような場合であっても、以上で説明した第１乃至第５の実施例における本発明の効果を発揮することができる。
【０２１１】
なお、このように、受信部、表示部、及び印刷部のうちの少なくとも一部を一体に構成した場合には、以上の実施例で説明した各構成要素の一部を適宜省略することが可能となる。例えば、図４に示したＳＴＢ４０及び表示装置４１に対して本発明を適用する場合には、上述した第１の実施例におけるＳＴＢ３０のシステムバスと印刷装置３１のプリンタシステムバスとを接続し、プリンタＣＰＵシステム８７を省略して、ＳＴＢ３０のＣＰＵシステム６５によって、印刷部を構成する各部の制御を行うとしてもよい。また、この場合には、ＳＴＢ３０のプリンタ制御信号インタフェース６６と印刷装置３１のプリンタ制御信号インタフェース部８６とを省略することができる。
【０２１２】
【発明の効果】
以上で説明したように、本発明に係るデジタル放送受信システムは、印刷装置が受信装置から画像データを受信するに際して、受信装置から表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段によって伝送していることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【０２１３】
また、本発明に係るデジタル放送受信装置は、印刷部が受信部から画像データを受信するに際して、受信部から外部に接続される表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段によって伝送していることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信部とは別に、印刷部側にもデジタル放送の受信機能を備えて構成されている。これにより、印刷部は、表示装置で表示する画像データとは異なる所定の番組放送からサービス情報及び／又は文字情報を取得することが可能となる。したがって、印刷部は、表示装置で表示する画像データをプリントするだけでなく、番組放送及び／又は情報アドレスに独自にアクセスすることが可能となり、より柔軟なプリント動作を行うことが可能となる。
【０２１５】
また、本発明に係る印刷装置は、受信装置から表示装置に画像データを伝送する第１の信号伝送手段を介して、当該印刷装置にも画像データを伝送されることができる。また、デジタル放送に含まれる画像データを伝送するに際して、デジタル信号を伝送する第１の信号伝送手段を用いることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【０２１６】
さらに、本発明に係る印刷方法は、印刷装置が受信装置から画像データを受信するに際して、受信装置から表示装置に対して画像データを伝送するために用いている第１の信号伝送手段を用いることから、印刷する画像データを高速に転送することができる。また、デジタル放送に含まれる画像データを、デジタル信号を伝送する第１の信号伝送手段を用いていることから、例えばＤ／Ａ変換回路やＡ／Ｄ変換回路等の回路を設ける必要がないとともに、信号劣化やノイズの混入を防止することができ、低コストで高品質な印刷を行うことが可能となる。また、印刷用画像データを一時保持する印刷画像用記憶手段を設けたことで、印刷画像用記憶手段を備えていることにより、受信装置から送信される画像データを一時保持することができるため、プリントする画像データが印刷画像用記憶手段に十分に記録された段階で、プリント動作の完了を待つことなく、受信装置の画像用記憶手段の更新を再開することが可能となり、番組放送の視聴を中断する時間を低減することができるようになる。また、受信装置とは別に、印刷装置側にもデジタル放送の受信機能を備えて構成されている。これにより、印刷装置は、表示装置で表示する画像データとは異なる所定の番組放送からサービス情報及び／又は文字情報を取得することが可能となる。したがって、印刷装置は、表示装置で表示する画像データをプリントするだけでなく、番組放送及び／又は情報アドレスに独自にアクセスすることが可能となり、より柔軟なプリント動作を行うことが可能となる。
【図面の簡単な説明】
【図１】本発明を適用したデジタルテレビ受像機を示す概略構成図である。
【図２】本発明を適用したデジタルテレビ受像機及び印刷装置を示す概略構成図である。
【図３】本発明を適用したＳＴＢ、表示装置、及び印刷装置を示す概略構成図である。
【図４】本発明を適用したＳＴＢ及び表示装置を示す概略構成図である。
【図５】本発明を適用したＳＴＢを示す概略構成図である。
【図６】本発明を適用した表示装置を示す概略構成図である。
【図７】本発明を適用した表示装置に表示される初期画面の一例を示す概略図である。
【図８】本発明を適用した表示装置に表示される画面におけるナビゲーションの一例を示す概略図である。
【図９】本発明を適用した印刷装置を示す概略構成図である。
【図１０】本発明を適用した印刷装置におけるプリント出力処理部の一構成例を示す概略図である。
【図１１】本発明を適用した印刷装置における拡大部での処理を説明するための概略図である。
【図１２】本発明を適用した印刷装置におけるプリント出力処理部の別の構成例を示す概略図である。
【図１３】本発明を適用した印刷装置におけるプリントヘッドの一構成例を示す概略図である。
【図１４】本発明を適用したＳＴＢ、表示装置、及び印刷装置の動作の一例を説明するフローチャートである。
【図１５】本発明を適用したＳＴＢ、表示装置、及び印刷装置の動作の一例を説明するフローチャートである。
【図１６】本発明を適用したＳＴＢ、表示装置、及び印刷装置の動作の一例を説明するフローチャートである。
【図１７】本発明を適用した印刷装置の別の構成例を示す概略図である。
【図１８】本発明を適用したＳＴＢの別の構成例を示す概略図である。
【図１９】本発明を適用した印刷装置の別の構成例を示す概略図である。
【図２０】本発明を適用したＳＴＢの別の構成例を示す概略図である。
【図２１】本発明を適用した印刷装置の別の構成例を示す概略図である。
【図２２】本発明を適用した印刷装置の別の構成例を示す概略図である。
【図２３】従来のアナログビデオプリンタの使用形態を示す概略図である。
【図２４】従来のアナログマルチスキャンプリンタの使用形態を示す概略図である。
【図２５】従来のＰＣプリンタの使用形態を示す概略図である。
【符号の説明】
３０  ＳＴＢ、３１  表示装置、３２  印刷装置、５０  ダウンコンバータ、５１  チューナ、５２  デジタル復調器、５３  誤り訂正部、５４  デスクランブル部、５５  パケット分離部、５６  映像デコーダ、５７  音声デコーダ、５８  データデコーダ、５９  合成器、６０  ビデオＲＡＭ、６１デジタルビデオ信号出力部、６２  モニタ制御信号出力部、６３  Ｉ／Ｏ制御部、６４  モデム、６５  ＣＰＵシステム、６６  プリンタ制御信号インタフェース、８０デジタルビデオ信号入力部、８１  モニタ制御信号入力部、８２  プリントデータ抽出部、８３  プリント出力処理部、８４  プリントヘッド駆動部、８５  プリントヘッド、８６  プリンタ制御信号インタフェース部、８７  プリンタＣＰＵシステム
【図１】
0004265053.tif 000003
【図２】
0004265053.tif 000004
【図３】
0004265053.tif 000005
【図４】
0004265053.tif 000006
【図５】
0004265053.tif 000007
【図６】
0004265053.tif 000008
【図７】
0004265053.tif 000009
【図８】
0004265053.tif 000010
【図９】
0004265053.tif 000011
【図１０】
0004265053.tif 000012
【図１１】
0004265053.tif 000013
【図１２】
0004265053.tif 000014
【図１３】
0004265053.tif 000015
【図１４】
0004265053.tif 000016
【図１５】
0004265053.tif 000017
【図１６】
0004265053.tif 000018
【図１７】
0004265053.tif 000019
【図１８】
0004265053.tif 000020
【図１９】
0004265053.tif 000021
【図２０】
0004265053.tif 000022
【図２１】
0004265053.tif 000023
【図２２】
0004265053.tif 000024
【図２３】
0004265053.tif 000025
【図２４】
0004265053.tif 000026
【図２５】
0004265053.tif 000027